(57)【要約】  ネットワークノードが、１つまたは複数のＳＩＢを介して、複数のＵＥに公衆警告システム通知として送信されるべきメッセージを取得し（３０２）、メッセージに対応するエリア情報を取得する（３０４）。エリア情報は、メッセージが関連するエリアを指示する。ネットワークノードは、エリア情報を送信するためにいくつのＳＩＢが必要とされるかを決定し（３０６）、エリア情報を送信するためにいくつのＳＩＢが必要とされるかに基づいて、複数のセグメントにメッセージをセグメント化する（３０８）。ネットワークノードは、ＳＩＢを介してメッセージとエリア情報とを送信し（３１０）、したがって、メッセージのセグメントが各ＳＩＢ中に含まれ、したがって、ＳＩＢ中に含まれるエリア情報の各部分にメッセージのセグメントが付随する。ＵＥが、ＳＩＢを受信し、メッセージとエリア情報とをアセンブルし、メッセージが関連する場合、メッセージを表示する。【選択図】図３
2021530903.tif 000002
【特許請求の範囲】
【請求項１】
複数のユーザ機器（ＵＥ）をサーブする無線通信システムの少なくとも１つのネットワークノードにおける方法であって、前記方法は、
１つまたは複数のシステム情報ブロックを介して、複数のＵＥに公衆警告システム通知として送信されるべきメッセージを取得すること（３０２）と、
前記メッセージに対応するエリア情報を取得すること（３０４）であって、前記エリア情報は、前記メッセージが関連するエリアを指示する、エリア情報を取得すること（３０４）と、
前記エリア情報を送信するためにいくつのシステム情報ブロックが必要とされるかを決定すること（３０６）と、
前記エリア情報を送信するためにいくつのシステム情報ブロックが必要とされるかに基づいて、複数のセグメントに前記メッセージをセグメント化すること（３０８）と、
送信されたシステム情報ブロックのいずれの中にも前記メッセージの１つのセグメントだけが含まれるように、かつ送信されたシステム情報ブロック中に含まれる前記エリア情報の各部分に前記メッセージのセグメントが付随するように、システム情報ブロックを介して前記メッセージと前記エリア情報とを送信すること（３１０）と
を含む、方法。
【請求項２】
前記メッセージをセグメント化すること（３０８）が、前記メッセージを少なくともＮ個のセグメントに分割することを含み、ここで、Ｎが、前記エリア情報を送信するために必要とされるシステム情報ブロックの数である、請求項１に記載の方法。
【請求項３】
前記メッセージをセグメント化すること（３０８）が、前記メッセージを厳密にＮ個のセグメントに分割することを含む、請求項２に記載の方法。
【請求項４】
前記メッセージをセグメント化すること（３０８）は、
前記メッセージが、修正なしに、システム情報ブロック中に含まれる前記エリア情報の各部分にセグメントが付随するのに十分なセグメントに分割され得ないと決定することと、
延長されたメッセージが、システム情報ブロック中に含まれる前記エリア情報の各部分にセグメントが付随するのに十分なセグメントに分割され得るように、前記セグメント化することの前に前記メッセージを延長することと
を含む、請求項１に記載の方法。
【請求項５】
前記メッセージがコンテナであり、前記コンテナが、前記コンテナにコーディングされた通知情報を搬送する、請求項１から４のいずれか一項に記載の方法。
【請求項６】
前記コンテナがＡＳＮ−１コンテナである、請求項５に記載の方法。
【請求項７】
前記システム情報ブロックが、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックである、請求項１から６のいずれか一項に記載の方法。
【請求項８】
複数のユーザ機器（ＵＥ）をサーブする無線通信システムの少なくとも１つのネットワークノードにおける方法であって、前記方法は、
１つまたは複数のシステム情報ブロックを介して、複数のＵＥに公衆警告システム通知として送信されるべきメッセージを取得すること（５０２）と、
前記メッセージに対応するエリア情報を取得すること（５０４）であって、前記エリア情報は、前記メッセージが関連するエリアを指示する、エリア情報を取得すること（５０４）と、
第１のシステム情報ブロックを介して前記メッセージの少なくとも一部を送信すること（５０６）と、
第２のシステム情報ブロックが、前記含まれるエリア情報が前記第１のシステム情報ブロックを介して送られた前記メッセージに対応することを指示するリンキング情報を含むように、前記第２のシステム情報ブロックを介して前記エリア情報の少なくとも一部を送信すること（５０８）と
を含む、方法。
【請求項９】
前記リンキング情報が、前記第１のシステム情報ブロック中の同一の識別子または通し番号、あるいはその両方に対応する、メッセージ識別子または通し番号、あるいはその両方を含む、請求項８に記載の方法。
【請求項１０】
前記第１のシステム情報ブロックがＳｙｓｔｅｍＩｎｆｏｒｍａｔｉｏｎＢｌｏｃｋＴｙｐｅ１２であり、前記第２のシステム情報ブロックが異なるタイプである、請求項８または９に記載の方法。
【請求項１１】
前記第２のシステム情報ブロックを介して前記エリア情報の少なくとも一部を送信すること（５０８）が、前記第２のシステム情報ブロック中に、前記第１のシステム情報ブロックについてのタイプの指示を含めることを含む、請求項８から１０のいずれか一項に記載の方法。
【請求項１２】
無線通信ネットワークによってサーブされるユーザ機器（ＵＥ）における方法であって、前記方法は、
複数のシステム情報ブロックを受信すること（７０２）と、
前記システム情報ブロックの各々から、公衆警告システム通知が関連するエリアを指示するエリア情報の一部分を取得すること（７０４）と、
これらの同じシステム情報ブロックの各々から、メッセージのセグメントを取得すること（７０６）と、
エリア情報の前記部分からエリア情報をアセンブルすること（７０８）と、
前記メッセージの少なくとも対応するセグメントから前記メッセージをアセンブルすること（７１０）と、
前記エリア情報に基づいて、前記メッセージが前記ＵＥに関連すると決定すること（７１２）と、
前記決定することに応答して前記メッセージを表示すること（７１４）と
を含む、方法。
【請求項１３】
前記メッセージをアセンブルすること（７１０）が、前記複数のシステム情報ブロック中に含まれる前記メッセージの部分と、追加のシステム情報ブロック中に含まれる少なくとも１つのメッセージ部分とから前記メッセージをアセンブルすることを含む、請求項１２に記載の方法。
【請求項１４】
前記システム情報ブロックが、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックである、請求項１２または１３に記載の方法。
【請求項１５】
無線通信ネットワークによってサーブされるユーザ機器（ＵＥ）における方法であって、前記方法は、
第１のシステム情報ブロックを介して公衆警告システム通知メッセージの少なくとも一部分を受信すること（８０２）と、
第２のシステム情報ブロックを介してエリア情報の少なくとも一部分を受信すること（８０４）と、
前記第２のシステム情報ブロック中に含まれるリンキング情報に基づいて、前記第２のシステム情報ブロック中に含まれる前記エリア情報が、前記第１のシステム情報ブロックを介して受信された前記メッセージに対応すると決定すること（８０６）と、
前記エリア情報に基づいて、前記メッセージが前記ＵＥに関連すると決定すること（８０８）と、
前記決定することに応答して前記メッセージを表示すること（８１０）と
を含む、方法。
【請求項１６】
前記リンキング情報が、前記第１のシステム情報ブロック中の同一の識別子または通し番号、あるいはその両方に対応する、メッセージ識別子または通し番号、あるいはその両方を含む、請求項１５に記載の方法。
【請求項１７】
前記第１のシステム情報ブロックがＳｙｓｔｅｍＩｎｆｏｒｍａｔｉｏｎＢｌｏｃｋＴｙｐｅ１２であり、前記第２のシステム情報ブロックが異なるタイプである、請求項１５または１６に記載の方法。
【請求項１８】
前記リンキング情報が、前記第１のシステム情報ブロックについてのタイプの指示を含む、請求項１５から１７のいずれか一項に記載の方法。
【請求項１９】
請求項１から１１のいずれか一項に記載の方法を実施するように適合されたネットワークノード（３０）。
【請求項２０】
ネットワークノード（３０）であって、
通信インターフェース回路（３８）と、
前記通信インターフェース回路（３８）に動作可能に関連付けられた処理回路（３２）とを備え、前記処理回路（３２）は、
１つまたは複数のシステム情報ブロックを介して、複数のＵＥに公衆警告システム通知として送信されるべきメッセージを取得することと、
前記メッセージに対応するエリア情報を取得することであって、前記エリア情報は、前記メッセージが関連するエリアを指示する、エリア情報を取得することと、
前記エリア情報を送信するためにいくつのシステム情報ブロックが必要とされるかを決定することと、
前記エリア情報を送信するためにいくつのシステム情報ブロックが必要とされるかに基づいて、複数のセグメントに前記メッセージをセグメント化することと、
送信されたシステム情報ブロックのいずれの中にも前記メッセージの１つのセグメントだけが含まれるように、かつ送信されたシステム情報ブロック中に含まれる前記エリア情報の各部分に前記メッセージのセグメントが付随するように、前記通信インターフェース回路（３８）を使用して、システム情報ブロックを介して前記メッセージと前記エリア情報とを送信することと
を行うように設定された、
ネットワークノード（３０）。
【請求項２１】
前記処理回路（３２）が、請求項２から７のいずれか一項に記載の方法を行うようにさらに設定された、請求項２０に記載のネットワークノード（３０）。
【請求項２２】
ネットワークノード（３０）であって、
通信インターフェース回路（３８）と、
前記通信インターフェース回路（３８）に動作可能に関連付けられた処理回路（３２）とを備え、前記処理回路（３２）は、
１つまたは複数のシステム情報ブロックを介して、複数のユーザ機器（ＵＥ）に公衆警告システム通知として送信されるべきメッセージを取得することと、
前記メッセージに対応するエリア情報を取得することであって、前記エリア情報は、前記メッセージが関連するエリアを指示する、エリア情報を取得することと、
前記通信インターフェース回路（３８）を使用して、第１のシステム情報ブロックを介して前記メッセージの少なくとも一部を送信することと、
第２のシステム情報ブロックが、前記含まれるエリア情報が前記第１のシステム情報ブロックを介して送られた前記メッセージに対応することを指示するリンキング情報を含むように、前記通信インターフェース回路（３８）を使用して、前記第２のシステム情報ブロックを介して前記エリア情報の少なくとも一部を送信することと
を行うように設定された、
ネットワークノード（３０）。
【請求項２３】
前記処理回路（３２）が、請求項９から１１のいずれか一項に記載の方法を行うようにさらに設定された、請求項２２に記載のネットワークノード（３０）。
【請求項２４】
請求項１２から１８のいずれか一項に記載の方法を実施するように適合されたユーザ機器（５０）。
【請求項２５】
ユーザ機器（５０）であって、
トランシーバ回路（５６）と、
前記トランシーバ回路（５６）に動作可能に関連付けられた処理回路（５２）とを備え、前記処理回路（５２）は、
前記トランシーバ回路（５６）を使用して複数のシステム情報ブロックを受信することと、
前記システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の前記部分からエリア情報をアセンブルすることと、
前記メッセージの少なくとも対応するセグメントから前記メッセージをアセンブルすることと、
前記エリア情報に基づいて、前記メッセージが前記ＵＥに関連すると決定することと、
前記決定することに応答して前記メッセージを表示することと
を行うように設定された、
ユーザ機器（５０）。
【請求項２６】
前記処理回路（５２）が、請求項１３または１４に記載の方法を行うようにさらに設定された、請求項２５に記載のユーザ機器（５０）。
【請求項２７】
ユーザ機器（５０）であって、
トランシーバ回路（５６）と、
前記トランシーバ回路（５６）に動作可能に関連付けられた処理回路（５２）とを備え、前記処理回路（５２）は、
第１のシステム情報ブロックを介して公衆警告システム通知メッセージの少なくとも一部分を受信することと、
第２のシステム情報ブロックを介してエリア情報の少なくとも一部分を受信することと、
前記第２のシステム情報ブロック中に含まれるリンキング情報に基づいて、前記第２のシステム情報ブロック中に含まれる前記エリア情報が、前記第１のシステム情報ブロックを介して受信された前記メッセージに対応すると決定することと、
前記エリア情報に基づいて、前記メッセージが前記ＵＥに関連すると決定することと、
前記決定することに応答して前記メッセージを表示することと
を行うように設定された、
ユーザ機器（５０）。
【請求項２８】
前記処理回路（５２）が、請求項１６から１８のいずれか一項に記載の方法を行うようにさらに設定された、請求項２７に記載のユーザ機器（５０）。
【請求項２９】
少なくとも１つの処理回路上で実行されたとき、前記少なくとも１つの処理回路に、請求項１から１８のいずれか一項に記載の方法を行わせる命令を備える、コンピュータプログラム。
【請求項３０】
請求項２９に記載のコンピュータプログラムを含んでいるキャリアであって、前記キャリアが、電子信号、光信号、無線信号、またはコンピュータ可読記憶媒体のうちの１つである、キャリア。
【発明の詳細な説明】
【技術分野】
【０００１】
本開示は、一般に、無線ネットワーク通信の分野に関し、より詳細には、モバイル警報システムに関する。
【背景技術】
【０００２】
Ｌｏｎｇ  Ｔｅｒｍ  Ｅｖｏｌｕｔｉｏｎ（ＬＴＥ）では、ユーザに警告メッセージを提供するために使用され得る公衆警告システム（ＰＷＳ：Ｐｕｂｌｉｃ  Ｗａｒｎｉｎｇ  Ｓｙｓｔｅｍ）通知をユーザ機器（ＵＥ）に提供するための特徴がある。たとえば、地震がある場合、ネットワークは、これを、ＰＷＳメッセージをブロードキャストすることによってＵＥに指示することができる。これは、新無線（Ｎｅｗ  Ｒａｄｉｏ：ＮＲ）についても導入されることが予想される。
【０００３】
地震および津波警告システム（ＥＴＷＳ：Ｅａｒｔｈｑｕａｋｅ  ａｎｄ  Ｔｓｕｎａｍｉ  Ｗａｒｎｉｎｇ  Ｓｙｓｔｅｍ）のＰＷＳメッセージは、ＳｙｓｔｅｍＩｎｆｏｒｍａｔｉｏｎＢｌｏｃｋＴｙｐｅ１０（ＥＴＷＳ１次通知）またはＳｙｓｔｅｍＩｎｆｏｒｍａｔｉｏｎＢｌｏｃｋＴｙｐｅ１１（ＥＴＷＳ２次通知）中でブロードキャストされ、商用モバイル警報システム（ＣＭＡＳ：Ｃｏｍｍｅｒｃｉａｌ  Ｍｏｂｉｌｅ  Ａｌｅｒｔ  Ｓｙｓｔｅｍ）のＰＷＳメッセージはＳｙｓｔｅｍＩｎｆｏｒｍａｔｉｏｎＢｌｏｃｋＴｙｐｅ１２中でブロードキャストされる。これらのシステム情報ブロックタイプは、ＬＴＥ無線リソース制御（ＲＲＣ）仕様３ＧＰＰ  ＴＳ３６．３３１において規定されている。他のタイプの公衆警告システムが、欧州連合（ＥＵ）警報と韓国公衆警報システム（ＫＰＡＳ）とを含むことに留意されたい。
【０００４】
ＥＴＷＳ２次通知メッセージまたはＣＭＡＳ通知メッセージが大きい場合、そのメッセージはいくつかのセグメントに分割され得、それらのセグメントはＵＥに連続的に送られる。ＬＴＥの仕様によれば、多くとも６４個のセグメントがあり得、基地局（たとえば、ｅＮＢ）が、各セグメントの数を指示する。さらに、ｅＮＢは、あるセグメントが最後のセグメントであるか否かを指示することができる。ＵＥが、メッセージのすべてのセグメントを収集したとき、ＵＥにおけるＲＲＣレイヤが、すべてのセグメントを再アセンブルし、それらのセグメントを、ユーザに提示されるように上位レイヤにフォワーディングする。ＥＴＷＳ１次通知メッセージは、ごく限られた時間フレーム内にＵＥによって受信されることが意図される小さいメッセージであるので、セグメント化はＥＴＷＳ１次通知メッセージについてサポートされない。
【０００５】
ＰＷＳメッセージを連続的に送ることによって、複数のＰＷＳメッセージを送ることが可能である。したがって、第１のメッセージと第２のメッセージとがＵＥに送られるべきである場合、ｅＮＢは、最初に、第１のメッセージのすべてのセグメントを送り、次いで、第２のメッセージのすべてのセグメントを送ることになる。各メッセージは周期的に送られ得る。各メッセージは、さらに、メッセージ識別子と通し番号とに関連付けられる。
【０００６】
いくつかのＰＷＳ通知は、モールに近いエリアなど、いくつかのエリアのみのために適用可能であり得る。エリア内にいるユーザのみがこれらの通知を得ていることを保証するために、ＰＷＳ通知は、関連付けられたエリア指示を有し得る。これは、たとえば、ただ、１つのみまたはいくつかのセルにおいてＰＷＳ通知を提供することによって実装され得る。代替として、ＰＷＳ通知は、適用可能なエリアの指示とともにＲＲＣメッセージ中に含まれ得る。ＵＥは、ＰＷＳ通知を受信すると、そのＵＥがエリア内にあるのか、エリア外にあるのかを決定する。ＵＥがエリア内にある場合、ＵＥはユーザに指示を表示することになる。ＵＥがエリア内にない場合、ＵＥは指示を表示しないであろう。
【０００７】
ＬＴＥおよびＮＲでは、システム情報は、いわゆるシステム情報ブロック（ＳＩＢ）中で送られる。ＬＴＥでは、物理レイヤが、ＳＩＢの最大サイズに限度を課する。ダウンリンク制御情報（ＤＣＩ）フォーマット１Ｃが使用されるとき、物理レイヤによって許容される最大値は１７３６ビット（２１７バイト）であり、フォーマット１Ａの場合、限度は２２１６ビット（２７７バイト）である（ＴＳ３６．２１２およびＴＳ３６．２１３）。帯域幅低減低複雑度（ＢＬ：ｂａｎｄｗｉｄｔｈ−ｒｅｄｕｃｅｄ  ｌｏｗ−ｃｏｍｐｌｅｘｉｔｙ）ＵＥおよび拡張カバレッジ（ＣＥ）中のＵＥの場合、最大ＳＩＢおよびシステム情報メッセージサイズは９３６ビットである（ＴＳ３６．２１３）。狭帯域モノのインターネット（ＮＢ−ＩｏＴ）の場合、最大ＳＩＢおよびシステム情報サイズは６８０ビットである（ＴＳ３６．２１３）。
【０００８】
ＬＴＥシステムでは、ＣＭＡＳ  ＰＷＳメッセージはＳｙｓｔｅｍＩｎｆｏｒｍａｔｉｏｎＢｌｏｃｋＴｙｐｅ１２中で送られる。ＳｙｓｔｅｍＩｎｆｏｒｍａｔｉｏｎＢｌｏｃｋＴｙｐｅ１２は、ＰＷＳメッセージのセグメントまたは完全なＰＷＳメッセージを搬送する、必須の存在のフィールドを有する。これは、ネットワークがＳｙｓｔｅｍＩｎｆｏｒｍａｔｉｏｎＢｌｏｃｋＴｙｐｅ１２を送るたびに、ネットワークが、ＰＷＳメッセージの少なくともセグメントを送らなければならないことを意味する。
【０００９】
たとえば、ＳｙｓｔｅｍＩｎｆｏｒｍａｔｉｏｎＢｌｏｃｋＴｙｐｅ１２を受信するレガシーＵＥは、メッセージを正常に復号することが可能でなければならない。対応する要件が、ＳｙｓｔｅｍＩｎｆｏｒｍａｔｉｏｎＢｌｏｃｋＴｙｐｅ１１について（ＥＴＷＳ２次通知について）、およびＳｙｓｔｅｍＩｎｆｏｒｍａｔｉｏｎＢｌｏｃｋＴｙｐｅ１０について（ＥＴＷＳ１次通知について）適用される。ただし、後者は常に、単一のＳｙｓｔｅｍＩｎｆｏｒｍａｔｉｏｎＢｌｏｃｋＴｙｐｅ１０中に完全なメッセージ（ＥＴＷＳ１次通知）を含む。
【発明の概要】
【００１０】
公衆警告システム（ＰＷＳ）メッセージについてのエリア情報は、複雑なエリア構造についての情報を提供するとき、大きくなり得る。複雑なエリア構造についてのこの情報を送ることが可能であるために、ＰＷＳメッセージは、ＳＩＢの送信に適合するように、より小さい部分にセグメント化される必要があり得る。いくつかの場合には、ＰＷＳメッセージは小さくなり得、したがって、少数のセグメント中で送られ得るが、関連付けられたエリア情報は大きく、したがって、そのエリア情報を送信するためにより多数のセグメントを必要とする。本明細書で説明される実施形態は、ネットワークノードが、システム情報を介してＰＷＳメッセージとエリア情報とを送信するときに、ＰＷＳメッセージとエリア情報の両方のサイズを考慮することを可能にする。ＰＷＳメッセージとそれらの関連付けられたエリア情報は、それらがシステム情報を介してＵＥに送られ得るように、セグメント化され得る。
【００１１】
第１の例では、ネットワークは、ＰＷＳメッセージについてのセグメントの数がエリア情報のセグメントの数と少なくとも同じ大きさであるように、ＰＷＳメッセージについてのエリア情報をセグメント化し得る。別の例では、ネットワークは、ＰＷＳメッセージが、エリア情報について必要とされるセグメントと少なくとも同数のセグメントにセグメント化され得るように、ＰＷＳメッセージを延長し得る。第３の例では、ネットワークは、第１のＳＩＢ中でＰＷＳメッセージを送り、第２のＳＩＢ中で、関連付けられたエリア情報を送り得る。ＰＷＳメッセージを受信するＵＥは、ＳＩＢ中でＰＷＳメッセージについてのセグメントを受信およびアセンブルし、次いで、ＵＥが、エリア情報から、ＰＷＳメッセージがユーザに関連すると決定した場合、ユーザに対してＰＷＳメッセージを表示することができる。
【００１２】
いくつかの実施形態によれば、複数のＵＥをサーブする無線通信システムの少なくとも１つのネットワークノードにおける方法が、１つまたは複数のＳＩＢを介して、複数のＵＥに公衆警告システム通知として送信されるべきメッセージを取得することを含む。本方法は、メッセージに対応するエリア情報を取得することであって、エリア情報は、メッセージが関連するエリアを指示する、エリア情報を取得することと、エリア情報を送信するためにいくつのＳＩＢが必要とされるかを決定することとをも含む。本方法は、エリア情報を送信するためにいくつのＳＩＢが必要とされるかに基づいて、複数のセグメントにメッセージをセグメント化することと、送信されたＳＩＢのいずれの中にもメッセージの１つのセグメントだけが含まれるように、かつ送信されたＳＩＢ中に含まれるエリア情報の各部分にメッセージのセグメントが付随するように、ＳＩＢを介してメッセージとエリア情報とを送信することであって、をさらに含む。
【００１３】
いくつかの実施形態によれば、複数のＵＥをサーブする無線通信システムの少なくとも１つのネットワークノードにおける方法が、１つまたは複数のＳＩＢを介して、複数のＵＥに公衆警告システム通知として送信されるべきメッセージを取得することと、メッセージに対応するエリア情報を取得することであって、エリア情報は、メッセージが関連するエリアを指示する、エリア情報を取得することとを含む。本方法は、第１のＳＩＢを介してメッセージの少なくとも一部を送信することと、第２のＳＩＢが、含まれるエリア情報が第１のＳＩＢを介して送られたメッセージに対応することを指示するリンキング情報を含むように、第２のＳＩＢを介してエリア情報の少なくとも一部を送信することとをさらに含む。
【００１４】
いくつかの実施形態によれば、無線通信ネットワークによってサーブされるＵＥにおける方法が、複数のＳＩＢを受信することを含む。本方法は、ＳＩＢの各々から、公衆警告システム通知が関連するエリアを指示するエリア情報の一部分を取得することと、これらの同じＳＩＢの各々から、メッセージのセグメントを取得することとを含む。本方法は、エリア情報の部分からエリア情報をアセンブルすることと、メッセージの少なくとも対応するセグメントからメッセージをアセンブルすることとをも含む。本方法は、エリア情報に基づいて、メッセージがＵＥに関連すると決定することと、決定することに応答してメッセージを表示することとをさらに含む。
【００１５】
いくつかの実施形態によれば、無線通信ネットワークによってサーブされるＵＥにおける方法が、第１のＳＩＢを介して公衆警告システム通知メッセージの少なくとも一部分を受信することと、第２のＳＩＢを介してエリア情報の少なくとも一部分を受信することとを含む。本方法は、第２のＳＩＢ中に含まれるリンキング情報に基づいて、第２のＳＩＢ中に含まれるエリア情報が、第１のＳＩＢを介して受信されたメッセージに対応すると決定することと、エリア情報に基づいて、メッセージがＵＥに関連すると決定することとをさらに含む。本方法は、決定することに応答してメッセージを表示することをさらに含む。
【００１６】
本発明のさらなる態様は、上記で要約された方法ならびに上記で要約された装置およびＵＥの機能的実装形態に対応する、装置、ネットワークノード、基地局、無線デバイス、ＵＥ、コンピュータプログラム製品またはコンピュータ可読記憶媒体を対象とする。
【００１７】
もちろん、本発明は、上記の特徴および利点に限定されない。当業者は、以下の詳細な説明を読み、添付の図面を見ると、追加の特徴および利点を認識されよう。
【図面の簡単な説明】
【００１８】
【図１】いくつかの実施形態による、複数のセグメント中でＵＥにＰＷＳメッセージとエリア情報とを送るネットワークノードの一例を示す図である。
【図２】いくつかの実施形態による、ネットワークノードのブロック図である。
【図３】いくつかの実施形態による、ネットワークノードにおける方法の流れ図である。
【図４】いくつかの実施形態による、複数のセグメント中でＵＥにＰＷＳメッセージとエリア情報とを送るネットワークノードの別の例を示す図である。
【図５】いくつかの実施形態による、ネットワークノードにおける別の方法の流れ図である。
【図６】いくつかの実施形態による、ＵＥのブロック図である。
【図７】いくつかの実施形態による、ＵＥにおける方法の流れ図である。
【図８】いくつかの実施形態による、ＵＥにおける別の方法の流れ図である。
【図９】いくつかの実施形態による、中間ネットワークを介してホストコンピュータに接続された電気通信ネットワークを概略的に示す図である。
【図１０】いくつかの実施形態による、部分的無線接続上で基地局を介してユーザ機器と通信するホストコンピュータの一般化されたブロック図である。
【図１１】ホストコンピュータと、基地局と、ユーザ機器とを含む通信システムにおいて実装される例示的な方法を示すフローチャートである。
【図１２】ホストコンピュータと、基地局と、ユーザ機器とを含む通信システムにおいて実装される例示的な方法を示すフローチャートである。
【図１３】ホストコンピュータと、基地局と、ユーザ機器とを含む通信システムにおいて実装される例示的な方法を示すフローチャートである。
【図１４】ホストコンピュータと、基地局と、ユーザ機器とを含む通信システムにおいて実装される例示的な方法を示すフローチャートである。
【図１５】いくつかの実施形態による、ネットワークノードの機能的実装形態を示すブロック図である。
【図１６】いくつかの実施形態による、ＵＥの機能的実装形態を示すブロック図である。
【発明を実施するための形態】
【００１９】
次に、発明概念の実施形態の例が示されている添付の図面を参照しながら、本開示の例示的な実施形態が以下でより十分に説明される。しかしながら、発明概念は、多くの異なる形態で具現され得、本明細書に記載される実施形態に限定されるものとして解釈されるべきではない。むしろ、これらの実施形態は、本開示が徹底的かつ完全であり、本発明概念の範囲を当業者に十分に伝達するように提供される。これらの実施形態は相互排他的でないことにも留意されたい。一実施形態からの構成要素が、別の実施形態において存在する／使用されると暗に仮定され得る。本明細書で説明される２つまたはそれ以上の実施形態は、互いと組み合わせられ得る。説明される実施形態は、ＬＴＥまたはＮＲに限定されず、ＵＴＲＡ、ＬＴＥアドバンスト、５Ｇ、ＮＸ、ＮＢ−ＩｏＴ、Ｗｉ−Ｆｉ、ＢＬＵＥＴＯＯＴＨ技術においてなど、他の無線アクセス技術（ＲＡＴ）において、またはＰＷＳメッセージがそれにより提供される後続のシステムにおいて、適合され得る。
【００２０】
本明細書で使用される「システム情報ブロック」および「ＳＩＢ」という用語に関して、「システム情報ブロック（ａ  ｓｙｓｔｅｍ  ｉｎｆｏｒｍａｔｉｏｎ  ｂｌｏｃｋ）」または「ＳＩＢ（ａ  ＳＩＢ）」は、「システム情報ブロック」または「ＳＩＢ」などとしてラベリングされる、システム情報の単一の構造化された送信を指すことを理解されたい。本明細書で説明される技法によれば、これらの送信のうちの複数の送信からの情報が、組み合わせられて、ＰＷＳメッセージなど、完全なメッセージを形成し得る。これらの複数の送信は、本明細書では、ＳＩＢ（ＳＩＢｓ）またはシステム情報ブロック（ｓｙｓｔｅｍ  ｉｎｆｏｒｍａｔｉｏｎ  ｂｌｏｃｋｓ）と（すなわち、複数形で）呼ばれる。したがって、本明細書で使用される「システム情報ブロック（ａ  ｓｙｓｔｅｍ  ｉｎｆｏｒｍａｔｉｏｎ  ｂｌｏｃｋ）」および「ＳＩＢ（ａ  ＳＩＢ）」は、複数のＳＩＢ送信からの情報のアグリゲーションを指すと理解されるべきでない。
【００２１】
図１は、いくつかの実施形態による、複数のＵＥ１０２／１０４／１０６をサーブする無線通信ネットワーク１００中のネットワークノード（たとえば、ｅＮＢ、ｇＮＢ）１１０を示す。ネットワークノード１１０は、エリア中のデバイスに配信されるべきであるＰＷＳメッセージ１２０を取得する。この例では、ＰＷＳメッセージ１２０は、地震についての通知である。ネットワークノード１１０は、メッセージが関連するエリアを指示する、関連付けられたエリア情報をも取得する。この例では、エリアは、メトロポリタンエリアおよびいくつかの地方エリアのいくつかの部分を伴い、エリア情報はむしろ複雑であり、エリア情報のサイズは通常よりも大きい。ネットワークノード１１０は、エリア情報を送るためにいくつのＳＩＢが必要とされることになるかを決定し、この場合、それは複数のＳＩＢであろう。ネットワークノード１１０は、次いで、エリア情報を送信するためにいくつのＳＩＢが必要とされるかに基づいて、いくつかのセグメントにＰＷＳメッセージ１２０をセグメント化する。
【００２２】
このシナリオなど、いくつかのシナリオでは、１バイトなど、ＰＷＳメッセージのセグメントの最小サイズがある。エリア情報が大きい場合、エリア情報の部分またはセグメントの数が大きくなり得る（たとえば、３２個のセグメント）。ＰＷＳメッセージのサイズが３２バイトよりも小さい場合、ＰＷＳメッセージについてのセグメントの数Ｎｍが、エリア情報についてのセグメントの数Ｎａに等しいかまたはそれよりも大きくなるように、ＰＷＳメッセージとエリア情報とをセグメント化することが可能でないことになる。
【００２３】
図１中の例に戻ると、ネットワークノード１１０は、次いで、複数のＳＩＢ中でＰＷＳメッセージ１２０セグメントを送信する。図１によって示されている実施形態では、複数のＳＩＢ１２２／１２４／１２６は、各々、ＰＷＳメッセージ１２０のセグメントが付随するエリア情報部分を含む。これは、ネットワークが各エリア情報セグメントを送るときに、ネットワークがＰＷＳメッセージセグメントを送信することができることを保証する。
【００２４】
ＵＥ１０２／１０４／１０６は、ＳＩＢ１２２／１２４／１２６を受信し、エリア情報部分からエリア情報をアセンブルし、メッセージセグメントからＰＷＳメッセージ１２０をアセンブルする。ＵＥ１０２／１０４／１０６の各々は、エリア情報から、ＰＷＳメッセージ１２０がＵＥに関連するかどうかを決定する。たとえば、ＵＥ１０２および１０４は、複雑なエリア情報から、ＰＷＳメッセージ１２０がユーザに関連すると決定し、ＰＷＳメッセージ１２０中に含まれる、付随情報を伴う地震通知を表示する。一方、ＵＥ１０６は、ＰＷＳメッセージ１２０がユーザに関連しないと決定し、ユーザに対して地震通知を表示しない。
【００２５】
それに応じて、図２は、ネットワークノード３０を示し、ネットワークノード３０は、これらの開示された技法のうちの１つまたは複数を行うように設定され得る。ネットワークノード３０は、エボルブドノードＢ（ｅノードＢ）、ノードＢまたはｇＮＢであり得る。ネットワークノード３０が図２に示されているが、動作は、基地局、無線基地局、基地トランシーバ局、基地局コントローラ、ネットワークコントローラ、ＮＲ  ＢＳ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、またはマルチ規格ＢＳ（ＭＳＲ  ＢＳ）などの無線ネットワークノードを含む、他の種類のネットワークアクセスノードによって実施され得る。ネットワークノード３０はまた、いくつかの場合には、コアネットワークノード（たとえば、ＭＭＥ、ＳＯＮノード、協調ノード、測位ノード、ＭＤＴノードなど）、さらには外部ノード（たとえば、第三者ノード、現在のネットワークの外部のノード）などであり得る。ネットワークノード３０は、テスト機器をも備え得る。
【００２６】
以下で説明される非限定的な実施形態では、ネットワークノード３０は、ＬＴＥネットワークまたはＮＲネットワークにおいてセルラーネットワークアクセスノードとして動作するように設定されるものとして説明される。いくつかの実施形態では、技法は、ＲＲＣレイヤにおいて実装され得る。ＲＲＣレイヤは、クラウド環境における１つまたは複数のネットワークノードによって実装され得、したがって、いくつかの実施形態はクラウド環境において実装され得る。
【００２７】
当業者は、各タイプのノードが、たとえば、処理回路３２による実行のための適切なプログラム命令の修正および／または追加を通して、どのように、本明細書で説明される方法およびシグナリングプロセスのうちの１つまたは複数を行うように適合され得るかを容易に諒解するであろう。
【００２８】
ネットワークノード３０は、無線端末（たとえば、ＵＥ）、他のネットワークアクセスノードおよび／またはコアネットワークの間の通信を容易にする。ネットワークノード３０は、データおよび／またはセルラー通信サービスを提供するために、コアネットワーク中の他のノード、ネットワーク中の無線ノードおよび／または他のタイプのノードと通信するための回路を含む、通信インターフェース回路３８を含み得る。ネットワークノード３０は、アンテナ３４およびトランシーバ回路３６を使用して、無線デバイスと通信する。トランシーバ回路３６は、送信機回路と、受信機回路と、関連付けられた制御回路とを含み得、それらはまとめて、セルラー通信サービスを提供するために、無線アクセス技術に従って信号を送信および受信するように設定される。
【００２９】
ネットワークノード３０は、トランシーバ回路３６、およびいくつかの場合には、通信インターフェース回路３８に動作可能に関連付けられた、１つまたは複数の処理回路３２をも含む。処理回路３２は、１つまたは複数のデジタルプロセッサ４２、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の混合を備える。より一般的には、処理回路３２は、固定回路、または本明細書で教示される機能を実装するプログラム命令の実行を介して特別に設定されるプログラマブル回路、あるいは固定およびプログラムされた回路の何らかの混合を備え得る。プロセッサ４２は、マルチコアであり、すなわち、向上した性能、低減された電力消費、および複数のタスクのより効率的な同時処理のために利用される２つまたはそれ以上のプロセッサコアを有し得る。
【００３０】
処理回路３２はメモリ４４をも含む。メモリ４４は、いくつかの実施形態では、１つまたは複数のコンピュータプログラム４６および、随意に、設定データ４８を記憶する。メモリ４４は、コンピュータプログラム４６のための非一時的ストレージを提供し、非一時的ストレージは、ディスクストレージ、ソリッドステートメモリストレージ、またはそれらの任意の混合など、１つまたは複数のタイプのコンピュータ可読媒体を備え得る。ここで、「非一時的」は、永続的、半永続的、または少なくとも一時的に永続的なストレージを意味し、不揮発性メモリ中の長期ストレージと、たとえば、プログラム実行のためのワーキングメモリ中のストレージとの両方を包含する。非限定的な例として、メモリ４４は、処理回路３２中にあり、および／または処理回路３２とは別個であり得る、ＳＲＡＭ、ＤＲＡＭ、ＥＥＰＲＯＭ、およびＦＬＡＳＨメモリのうちの任意の１つまたは複数を備える。メモリ４４は、ネットワークアクセスノード３０によって使用される任意の設定データ４８をも記憶し得る。処理回路３２は、たとえば、メモリ４４に記憶された適切なプログラムコードの使用を通して、以下で詳述される方法および／またはシグナリングプロセスのうちの１つまたは複数を行うように設定され得る。
【００３１】
ネットワークノード３０の処理回路３２は、いくつかの実施形態によれば、図１に示されているネットワークノード１１０のためになど、複数のＵＥをサーブする無線通信システムの１つまたは複数のネットワークノードのために、本明細書で説明される技法を実施するように設定される。処理回路３２は、１つまたは複数のＳＩＢを介して、複数のＵＥに公衆警告システム通知として送信されるべきメッセージを取得することと、メッセージに対応するエリア情報を取得することとを行うように設定される。エリア情報は、メッセージが関連するエリアを指示する。処理回路３２は、エリア情報を送信するためにいくつのＳＩＢが必要とされるかを決定することと、エリア情報を送信するためにいくつのＳＩＢが必要とされるかに基づいて、複数のセグメントにメッセージをセグメント化することとを行うようにも設定される。処理回路３２は、メッセージのセグメントが各ＳＩＢ中に含まれるように、かつＳＩＢ中に含まれるエリア情報の各部分にメッセージのセグメントが付随するように、トランシーバ回路３６を介して、ＳＩＢを介してメッセージとエリア情報とを送信することを行うように設定される。
【００３２】
処理回路３２は、図３に示されている、方法３００を実施するようにも設定される。方法３００は、１つまたは複数のＳＩＢを介して、複数のＵＥに公衆警告システム通知として送信されるべきメッセージを取得すること（ブロック３０２）と、メッセージに対応するエリア情報を取得することであって、エリア情報は、メッセージが関連するエリアを指示する、エリア情報を取得すること（ブロック３０４）とを含む。方法３００は、エリア情報を送信するためにいくつのＳＩＢが必要とされるかを決定すること（ブロック３０６）と、エリア情報を送信するためにいくつのＳＩＢが必要とされるかに基づいて、複数のセグメントにメッセージをセグメント化すること（ブロック３０８）とをも含む。方法３００は、メッセージのセグメントが各ＳＩＢ中に含まれるように、かつＳＩＢ中に含まれるエリア情報の各部分にメッセージのセグメントが付随するように、ＳＩＢを介してメッセージとエリア情報とを送信すること（ブロック３１０）とをさらに含む。
【００３３】
いくつかの実施形態では、メッセージをセグメント化することは、メッセージを少なくともＮ個のセグメントに分割することを含み、ここで、Ｎは、エリア情報を送信するために必要とされるＳＩＢの数である。メッセージをセグメント化することは、メッセージを厳密にＮ個のセグメントに分割することを含み得る。
【００３４】
別の例では、ネットワークは、ＮｍがＮａと少なくとも同じ大きさであるように、ＰＷＳメッセージ１２０がセグメント化され得ないと決定する。ネットワークは、次いで、（延長された）ＰＷＳメッセージ１２０が、Ｎａに等しいかまたはそれよりも大きくなり得る数Ｎｍにセグメント化され得るように、ＰＷＳメッセージ１２０を延長し／ＰＷＳメッセージ１２０にパディングを追加し得る。したがって、パディングは、実際のメッセージに追加され得、ネットワークノード１１０は、メッセージのコンテンツおよび／または構造を理解する必要があり得る。代替的に、パディングは、たとえば、メッセージをトランスポートするためにＲＲＣプロトコルによって使用されるＡＳＮ．１コーディングにパディングを追加することによって、ＰＷＳメッセージを含んでいるコンテナに追加され得る。
【００３５】
したがって、いくつかの実施形態では、メッセージをセグメント化することは、メッセージが、修正なしに、システム情報中に含まれるエリア情報の各部分にセグメントが付随するのに十分なセグメントに分割され得ないと決定することと、延長されたメッセージが、システム情報中に含まれるエリア情報の各部分にセグメントが付随するのに十分なセグメントに分割され得るように、セグメント化することの前にメッセージを延長することとを含む。メッセージはコンテナであり得、コンテナは、コンテナにコーディングされた通知情報を搬送する。コンテナはＡＳＮ−１コンテナであり得る。
【００３６】
ＳＩＢは、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックであり得る。
【００３７】
図４によって示されている第３の例では、ＰＷＳメッセージ４２０が、第１のＳＩＢ４２２中でシグナリングされ、関連付けられたエリア情報が、第２のＳＩＢ４２４中でシグナリングされる。第１のＳＩＢ４２２は、たとえば、ＬＴＥにおいてすでに規定されているＣＭＡＳタイプの警告を含んでいるＳＩＢ１２であり得る。第２のＳＩＢ４２４は、ＳＩＢ１２中で送られたメッセージに関連付けられたエリア情報を含んでいるように規定された、新しいＳＩＢであり得る。
【００３８】
ＵＥ１０２／１０４／１０６は、第１のＳＩＢおよび第２のＳＩＢ４２２／４２４を収集し、第１のＳＩＢ４２２中のＰＷＳメッセージについて、第２のＳＩＢ４２４中に、関連付けられたエリア情報があるかどうかを決定することになる。これは、ネットワークが、ＰＷＳメッセージとエリア情報とが互いにリンクされ得るように、第１のＳＩＢおよび第２のＳＩＢ４２２／４２４中で送ることになる識別子（または識別子のセット）に基づいて決定され得る。
【００３９】
したがって、処理回路３２は、そのような技法を実施するように設定され得る。したがって、処理回路３２は、いくつかの実施形態によれば、１つまたは複数のＳＩＢを介して、複数のＵＥに公衆警告システム通知として送信されるべきメッセージを取得することと、メッセージに対応するエリア情報を取得することであって、エリア情報は、メッセージが関連するエリアを指示する、エリア情報を取得することとを行うように設定される。処理回路３２は、第１のＳＩＢを介してメッセージの少なくとも一部を送信することと、第２のＳＩＢが、含まれるエリア情報が第１のＳＩＢを介して送られたメッセージに対応することを指示するリンキング情報を含むように、第２のＳＩＢを介してエリア情報の少なくとも一部を送信することとを行うようにも設定される。
【００４０】
処理回路３２は、図５に示されている、対応する方法５００を実施するようにも設定され得る。方法５００は、１つまたは複数のＳＩＢを介して、複数のＵＥに公衆警告システム通知として送信されるべきメッセージを取得すること（ブロック５０２）と、メッセージに対応するエリア情報を取得することであって、エリア情報は、メッセージが関連するエリアを指示する、エリア情報を取得すること（ブロック５０４）とを含む。処理回路３２は、第１のＳＩＢを介してメッセージの少なくとも一部を送信することと、第２のＳＩＢが、含まれるエリア情報が第１のＳＩＢを介して送られたメッセージに対応することを指示するリンキング情報を含むように、第２のＳＩＢを介してエリア情報の少なくとも一部を送信することとを行うようにも設定される。
【００４１】
リンキング情報は、第１のＳＩＢ中の同一の識別子または通し番号、あるいはその両方に対応する、メッセージ識別子または通し番号、あるいはその両方を含み得る。第１のＳＩＢはＳｙｓｔｅｍＩｎｆｏｒｍａｔｉｏｎＢｌｏｃｋＴｙｐｅ１２であり得、第２のＳＩＢは異なるタイプであり得る。いくつかの実施形態では、第２のＳＩＢを介してエリア情報の少なくとも一部を送信することは、第２のＳＩＢ中に、第１のＳＩＢについてのタイプの指示を含めることを含む。
【００４２】
ＰＷＳメッセージが送られ得る、現在規定されているＳＩＢ１２中に、「ｍｅｓｓａｇｅＩｄｅｎｔｉｆｉｅｒ」および「ｓｅｒｉａｌＮｕｍｂｅｒ」がある。いくつかの実施形態では、ネットワークは、エリア情報を搬送するＳＩＢ中で同様のフィールドを送る。以下は、太字で示されている識別子についての候補フィールドをもつ、ＬＴＥにおける既存のＳＩＢ１２である。
2021530903.tif 000003
【００４３】
以下で示されるものは、エリア情報を提供する、提案される新しいＳＩＢ（ＳＩＢＸ）である。太字のテキストは、識別子についての候補フィールドを示す。ネットワーク（たとえばｅＮＢ）は、ＳＩＢ１２中でＰＷＳメッセージを送り、ＳＩＢＸ中で、関連付けられたエリア情報を送り得る。メッセージＡについてのエリア情報を送るとき、ｍｅｓｓａｇｅＩｄｅｎｔｉｆｉｅｒおよび／またはｓｅｒｉａｌＮｕｍｂｅｒフィールドは、エリア情報について、これらのフィールドが、ＳＩＢ１２中で、関連付けられたＰＷＳメッセージを送るときにセットされるのと同じにセットされ得る。
2021530903.tif 000004
【００４４】
代替として、別個の識別情報が、警告メッセージを含んでいるＳＩＢに追加され、次いで、異なる警告メッセージを対応するエリア情報にリンクするために、エリア情報とともに新しいＳＩＢ中に含まれ得る。並行して送信され得る異なる警告メッセージの数が、３２ビット（１６＋１６）で識別され得るものよりも著しく小さいので、エリア情報メッセージ中に含まれる必要がある識別情報は、著しく小さくなり得る。これは、実際のエリア情報のための新しいＳＩＢ（「ＳＩＢＸ」）中により多くのスペースを残すことになる。
【００４５】
単一のＳＩＢ（「ＳＩＢＸ」）で異なるタイプのＰＷＳ警告メッセージ（ＥＴＷＳ１次通知、ＥＴＷＳ２次通知およびＣＭＡＳ通知）についてのエリア情報をサポートするために、ＳＩＢＸ中に、エリア情報ＳＩＢがどんなタイプのＰＷＳ警告メッセージに関係するかを指示するための追加の指示が含まれ得る。たとえば、ＰＷＳ警告メッセージが、ＳＩＢ１０、ＳＩＢ１１およびＳＩＢ１２を通して送信されるＬＴＥでは、新しいＳＩＢ中の指示は、エリア情報ＳＩＢが、ＳＩＢ１０（ＥＴＷＳ１次通知）に関係するのか、ＳＩＢ１１（ＥＴＷＳ２次通知）に関係するのか、ＳＩＢ１２（ＣＭＡＳ通知）に関係するのかを識別することができる。
【００４６】
異なるタイプの警告メッセージ（たとえば、ＬＴＥにおけるＳＩＢ１０、ＳＩＢ１１およびＳＩＢ１２）に関係し得るエリア情報をもつＳＩＢをサポートすることに対する代替ソリューションとして、警告メッセージをもつＳＩＢと、（情報をリンクするための）エリア情報をもつＳＩＢの両方中に含まれる識別情報が、警告メッセージＳＩＢ（たとえば、ＳＩＢ１０〜ＳＩＢ１２）間で協調され得る。次いで、ネットワークは、各識別情報が、各時点において、警告メッセージＳＩＢのうちの１つにおいてのみ使用されるように、警告メッセージＳＩＢ中の使用される識別情報を協調させるべきである。
【００４７】
次に、ＳＩＢを受信する対応するＵＥのうちの１つの例示的な実施形態が説明される。図６は、いくつかの実施形態による、開示される技法のうちの１つまたは複数を行うように設定されたＵＥ５０の図を示す。ＵＥ５０は、セルラーネットワーク中のＵＥなど、ネットワークにおいて動作し得る任意の無線デバイスまたは端末を表すと見なされ得る。他の例は、通信デバイス、ターゲットデバイス、Ｄ２Ｄ（ｄｅｖｉｃｅ  ｔｏ  ｄｅｖｉｃｅ）ＵＥ、マシン型ＵＥまたはマシンツーマシン通信（Ｍ２Ｍ）が可能なＵＥ、ＵＥを装備したセンサー、ＰＤＡ（携帯情報端末）、タブレット、ＩＰＡＤタブレット、モバイル端末、スマートフォン、ラップトップ組込み装備（ＬＥＥ）、ラップトップ搭載機器（ＬＭＥ）、ＵＳＢドングル、顧客構内機器（ＣＰＥ）などを含み得る。
【００４８】
ＵＥ５０は、アンテナ５４およびトランシーバ回路５６を介して、ワイドエリアセルラーネットワーク中のネットワークノードまたは基地局と通信するように設定される。トランシーバ回路５６は、送信機回路と、受信機回路と、関連付けられた制御回路とを含み得、それらはまとめて、セルラー通信サービスを使用するために、無線アクセス技術に従って信号を送信および受信するように設定される。この説明の目的で、この無線アクセス技術は、ＮＲおよびＬＴＥであり得る。
【００４９】
ＵＥ５０はまた、無線トランシーバ回路５６に動作可能に関連付けられた１つまたは複数の処理回路５２を含む。処理回路５２は、１つまたは複数のデジタル処理回路、たとえば、１つまたは複数のマイクロプロセッサ、マイクロコントローラ、ＤＳＰ、ＦＰＧＡ、ＣＰＬＤ、ＡＳＩＣ、またはそれらの任意の混合を備える。より一般的には、処理回路５２は、固定回路、または本明細書で教示される機能を実装するプログラム命令の実行を介して特別に適合されるプログラマブル回路を備え得るか、あるいは固定およびプログラムされた回路の何らかの混合を備え得る。処理回路５２はマルチコアであり得る。
【００５０】
処理回路５２はメモリ６４をも含む。メモリ６４は、いくつかの実施形態では、１つまたは複数のコンピュータプログラム６６および、随意に、設定データ６８を記憶する。メモリ６４は、コンピュータプログラム６６のための非一時的ストレージを提供し、非一時的ストレージは、ディスクストレージ、ソリッドステートメモリストレージ、またはそれらの任意の混合など、１つまたは複数のタイプのコンピュータ可読媒体を備え得る。非限定的な例として、メモリ６４は、処理回路５２中にあり、および／または処理回路５２とは別個であり得る、ＳＲＡＭ、ＤＲＡＭ、ＥＥＰＲＯＭ、およびＦＬＡＳＨメモリのうちの任意の１つまたは複数を備える。メモリ６４は、ＵＥ５０によって使用される任意の設定データ６８をも記憶し得る。処理回路５２は、たとえば、メモリ６４に記憶された適切なプログラムコードの使用を通して、以下で詳述される方法および／またはシグナリングプロセスのうちの１つまたは複数を行うように設定され得る。
【００５１】
ＵＥ５０の処理回路５２は、いくつかの実施形態によれば、図１に示されているＵＥ１０２のためになど、ネットワークによってサーブされるＵＥのために、技法を実施するように設定される。処理回路５２は、複数のＳＩＢを受信することと、ＳＩＢの各々から、公衆警告システム通知が関連するエリアを指示するエリア情報の一部分を取得することと、これらの同じＳＩＢの各々から、メッセージの単一のセグメントを取得することとを行うように設定される。処理回路５２は、エリア情報の部分からエリア情報をアセンブルすることと、メッセージの少なくとも対応するセグメントからメッセージをアセンブルすることとを行うようにも設定される。処理回路５２は、エリア情報に基づいて、メッセージがＵＥに関連すると決定することと、決定することに応答してメッセージを表示することとを行うようにさらに設定される。
【００５２】
処理回路５２は、図７に示されている、対応する方法７００を実施するように設定され得る。方法７００は、複数のＳＩＢを受信すること（ブロック７０２）と、ＳＩＢの各々から、公衆警告システム通知が関連するエリアを指示するエリア情報の一部分を取得すること（ブロック７０４）と、これらの同じＳＩＢの各々から、メッセージの単一のセグメントを取得すること（ブロック７０６）とを含む。方法７００は、エリア情報の部分からエリア情報をアセンブルすること（ブロック７０８）と、メッセージの少なくとも対応するセグメントからメッセージをアセンブルすること（ブロック７１０）とをさらに含む。方法７００は、次いで、エリア情報に基づいて、メッセージがＵＥに関連すると決定すること（ブロック７１２）と、決定することに応答してメッセージを表示すること（ブロック７１４）とを含む。
【００５３】
いくつかの実施形態では、メッセージをアセンブルすることは、複数のＳＩＢ中に含まれるメッセージの部分と、追加のＳＩＢ中に含まれる少なくとも１つのメッセージ部分とからメッセージをアセンブルすることを含む。ＳＩＢは、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックであり得る。
【００５４】
他の実施形態では、処理回路５２は、図４でＵＥ１０２について説明される技法を実施するように設定される。処理回路５２は、第１のＳＩＢを介して公衆警告システム通知メッセージの少なくとも一部分を受信することと、第２のＳＩＢを介してエリア情報の少なくとも一部分を受信することとを行うように設定される。処理回路５２は、第２のＳＩＢ中に含まれるリンキング情報に基づいて、第２のＳＩＢ中に含まれるエリア情報が、第１のＳＩＢを介して受信されたメッセージに対応すると決定することと、エリア情報に基づいて、メッセージがＵＥに関連すると決定することとを行うようにも設定される。処理回路５２は、次いで、決定することに応答してメッセージを表示するように設定される。
【００５５】
処理回路５２は、図８に示されている、対応する方法８００を実施するように設定され得る。方法８００は、第１のＳＩＢを介して公衆警告システム通知メッセージの少なくとも一部分を受信すること（ブロック８０２）と、第２のＳＩＢを介してエリア情報の少なくとも一部分を受信すること（ブロック８０４）とを含む。方法８００は、第２のＳＩＢ中に含まれるリンキング情報に基づいて、第２のＳＩＢ中に含まれるエリア情報が、第１のＳＩＢを介して受信されたメッセージに対応すると決定すること（ブロック８０６）と、エリア情報に基づいて、メッセージがＵＥに関連すると決定すること（ブロック８０８）とをさらに含む。方法８００は、次いで、決定することに応答してメッセージを表示すること（ブロック８１０）を含む。
【００５６】
リンキング情報は、第１のＳＩＢ中の同一の識別子または通し番号、あるいはその両方に対応する、メッセージ識別子または通し番号、あるいはその両方を含み得る。第１のＳＩＢはＳｙｓｔｅｍＩｎｆｏｒｍａｔｉｏｎＢｌｏｃｋＴｙｐｅ１２であり得、第２のＳＩＢは異なるタイプであり得る。リンキング情報は、第１のＳＩＢについてのタイプの指示を含み得る。
【００５７】
図９は、いくつかの実施形態による、無線アクセスネットワークなどのアクセスネットワーク９１１とコアネットワーク９１４とを備える、３ＧＰＰタイプセルラーネットワークなどの電気通信ネットワーク９１０を含む通信システムを示す。アクセスネットワーク９１１は、ＮＢ、ｅＮＢ、ｇＮＢまたは他のタイプの無線アクセスポイントなど、複数の基地局９１２ａ、９１２ｂ、９１２ｃを備え、各々、対応するカバレッジエリア９１３ａ、９１３ｂ、９１３ｃを規定する。各基地局９１２ａ、９１２ｂ、９１２ｃは、有線接続または無線接続９１５を介してコアネットワーク９１４に接続可能である。カバレッジエリア９１３ｃ中に位置する第１のＵＥ９９１が、対応する基地局９１２ｃに無線で接続するか、または対応する基地局９１２ｃによってページングされるように設定される。カバレッジエリア９１３ａ中の第２のＵＥ９９２が、対応する基地局９１２ａに無線で接続可能である。この例では複数のＵＥ９９１、９９２が示されているが、開示される実施形態は、唯一のＵＥがカバレッジエリア中にある状況、または唯一のＵＥが、対応する基地局９１２に接続している状況に等しく適用可能である。
【００５８】
電気通信ネットワーク９１０は、それ自体、ホストコンピュータ９３０に接続され、ホストコンピュータ９３０は、スタンドアロンサーバ、クラウド実装サーバ、分散型サーバのハードウェアおよび／またはソフトウェアで、あるいはサーバファーム中の処理リソースとして具現され得る。ホストコンピュータ９３０は、サービスプロバイダの所有または制御下にあり得るか、あるいはサービスプロバイダによってまたはサービスプロバイダの代わりに動作され得る。電気通信ネットワーク９１０とホストコンピュータ９３０との間の接続９２１、９２２は、コアネットワーク９１４からホストコンピュータ９３０に直接延び得るか、または随意の中間ネットワーク９２０を介して進み得る。中間ネットワーク９２０は、公衆ネットワーク、プライベートネットワークまたはホストされたネットワークのうちの１つ、あるいはそれらのうちの２つ以上の組合せであり得、中間ネットワーク９２０は、もしあれば、バックボーンネットワークまたはインターネットであり得、特に、中間ネットワーク９２０は、２つまたはそれ以上のサブネットワーク（図示せず）を備え得る。
【００５９】
図９の通信システムは全体として、接続されたＵＥ９９１、９９２のうちの１つとホストコンピュータ９３０との間のコネクティビティを可能にする。コネクティビティは、オーバーザトップ（ＯＴＴ）接続９５０として説明され得る。ホストコンピュータ９３０および接続されたＵＥ９９１、９９２は、アクセスネットワーク９１１、コアネットワーク９１４、任意の中間ネットワーク９２０および考えられるさらなるインフラストラクチャ（図示せず）を媒介として使用して、ＯＴＴ接続９５０を介して、データおよび／またはシグナリングを通信するように設定される。ＯＴＴ接続９５０は、ＯＴＴ接続９５０が通過する、参加する通信デバイスが、アップリンクおよびダウンリンク通信のルーティングに気づいていないという点で、透過的であり得る。たとえば、基地局９１２は、接続されたＵＥ９９１にフォワーディング（たとえば、ハンドオーバ）されるべき、ホストコンピュータ９３０から発生したデータを伴う着信ダウンリンク通信の過去のルーティングについて、通知されないことがあり、または通知される必要がない。同様に、基地局９１２は、ＵＥ９９１から発生してホストコンピュータ９３０に向かう発信アップリンク通信の将来ルーティングに気づいている必要がない。
【００６０】
次に、一実施形態による、前の段落において説明されたＵＥ、基地局およびホストコンピュータの例示的な実装形態が、図１０を参照しながら説明される。通信システム１０００では、ホストコンピュータ１０１０は、通信システム１０００の異なる通信デバイスのインターフェースとの有線接続または無線接続をセットアップおよび維持するように設定された通信インターフェース１０１６を含む、ハードウェア１０１５を備える。ホストコンピュータ１０１０は、記憶能力および／または処理能力を有し得る、処理回路１０１８をさらに備える。特に、処理回路１０１８は、１つまたは複数のプログラマブルプロセッサ、特定用途向け集積回路、フィールドプログラマブルゲートアレイ、または、命令を実行するように適合されたこれらの組合せ（図示せず）を備え得る。ホストコンピュータ１０１０は、ホストコンピュータ１０１０に記憶されるかまたはホストコンピュータ１０１０によってアクセス可能であり、処理回路１０１８によって実行可能である、ソフトウェア１０１１をさらに備える。ソフトウェア１０１１は、ホストアプリケーション１０１２を含む。ホストアプリケーション１０１２は、ＵＥ１０３０およびホストコンピュータ１０１０において終端するＯＴＴ接続１０５０を介して接続するＵＥ１０３０など、リモートユーザにサービスを提供するように動作可能であり得る。リモートユーザにサービスを提供する際に、ホストアプリケーション１０１２は、ＯＴＴ接続１０５０を使用して送信されるユーザデータを提供し得る。
【００６１】
通信システム１０００は、電気通信システム中に提供される基地局１０２０をさらに含み、基地局１０２０は、基地局１０２０がホストコンピュータ１０１０およびＵＥ１０３０と通信することを可能にするハードウェア１０２５を備える。ハードウェア１０２５は、通信システム１０００の異なる通信デバイスのインターフェースとの有線接続または無線接続をセットアップおよび維持するための通信インターフェース１０２６、ならびに基地局１０２０によってサーブされるカバレッジエリア（図１０に図示せず）中に位置するＵＥ１０３０との少なくとも無線接続１０７０をセットアップおよび維持するための無線インターフェース１０２７を含み得る。通信インターフェース１０２６は、ホストコンピュータ１０１０への接続１０６０を容易にするように設定され得る。接続１０６０は直接であり得るか、あるいは接続１０６０は、電気通信システムのコアネットワーク（図１０に図示せず）を、および／または電気通信システムの外側の１つまたは複数の中間ネットワークを通過し得る。図示の実施形態では、基地局１０２０のハードウェア１０２５は、処理回路１０２８をさらに含み、処理回路１０２８は、命令を実行するように適合された、１つまたは複数のプログラマブルプロセッサ、特定用途向け集積回路、フィールドプログラマブルゲートアレイ、またはこれらの組合せ（図示せず）を備え得る。基地局１０２０は、内部的に記憶されるかまたは外部接続を介してアクセス可能なソフトウェア１０２１をさらに有する。
【００６２】
通信システム１０００は、すでに言及されたＵＥ１０３０をさらに含む。ＵＥ１０３０のハードウェア１０３５は、ＵＥ１０３０が現在位置するカバレッジエリアをサーブする基地局との無線接続１０７０をセットアップおよび維持するように設定された、無線インターフェース１０３７を含み得る。ＵＥ１０３０のハードウェア１０３５は、処理回路１０３８をさらに含み、処理回路１０３８は、命令を実行するように適合された、１つまたは複数のプログラマブルプロセッサ、特定用途向け集積回路、フィールドプログラマブルゲートアレイ、またはこれらの組合せ（図示せず）を備え得る。ＵＥ１０３０はソフトウェア１０３１をさらに備え、ソフトウェア１０３１は、ＵＥ１０３０に記憶されるかまたはＵＥ１０３０によってアクセス可能であり、処理回路１０３８によって実行可能である。ソフトウェア１０３１は、クライアントアプリケーション１０３２を含む。クライアントアプリケーション１０３２は、ホストコンピュータ１０１０のサポートを伴って、ＵＥ１０３０を介して人間のまたは人間でないユーザにサービスを提供するように動作可能であり得る。ホストコンピュータ１０１０では、実行しているホストアプリケーション１０１２は、ＵＥ１０３０およびホストコンピュータ１０１０において終端するＯＴＴ接続１０５０を介して、実行しているクライアントアプリケーション１０３２と通信し得る。ユーザにサービスを提供する際に、クライアントアプリケーション１０３２は、ホストアプリケーション１０１２から要求データを受信し、要求データに応答してユーザデータを提供し得る。ＯＴＴ接続１０５０は、要求データとユーザデータの両方を転送し得る。クライアントアプリケーション１０３２は、クライアントアプリケーション１０３２が提供するユーザデータを生成するためにユーザと対話し得る。
【００６３】
図１０に示されているホストコンピュータ１０１０、基地局１０２０およびＵＥ１０３０は、それぞれ、図９のホストコンピュータ９３０、基地局９１２ａ、９１２ｂ、９１２ｃのうちの１つ、およびＵＥ９９１、９９２のうちの１つと同等であり得ることに留意されたい。つまり、これらのエンティティの内部の働きは、図１０に示されているようなものであり得、別個に、周囲のネットワークトポロジーは、図９のものであり得る。
【００６４】
図１０では、ＯＴＴ接続１０５０は、中間デバイスとこれらのデバイスを介したメッセージの正確なルーティングとへの明示的言及なしに、基地局１０２０を介したホストコンピュータ１０１０とユーザ機器１０３０との間の通信を示すために、抽象的に描かれている。ネットワークインフラストラクチャが、ルーティングを決定し得、ネットワークインフラストラクチャは、ＵＥ１０３０からまたはホストコンピュータ１０１０を動作させるサービスプロバイダから、またはその両方からルーティングを隠すように設定され得る。ＯＴＴ接続１０５０がアクティブである間、ネットワークインフラストラクチャは、さらに、ネットワークインフラストラクチャが、（たとえば、ネットワークの負荷分散考慮または再設定に基づいて）ルーティングを動的に変更する判断を行い得る。
【００６５】
ＵＥ１０３０と基地局１０２０との間の無線接続１０７０は、対応する方法３００、５００、７００および８００とともに、ＵＥ５０およびネットワークノード３０などのノードによって提供されるものなど、本開示全体にわたって説明される実施形態の教示によるものである。本明細書で説明される実施形態は、ネットワークノードが、システム情報を介してＰＷＳメッセージとエリア情報とを送信するときに、ＰＷＳメッセージとエリア情報とのサイズを考慮することを可能にする。ＰＷＳメッセージとそれらの関連付けられたエリア情報は、それらがシステム情報を介してＵＥに送られ得るように、セグメント化され得る。これらの実施形態の教示は、緊急警告システムのためにＯＴＴ接続１０５０を使用して、ネットワークおよびＵＥ１０３０のためのデータレート、容量、レイテンシおよび／または電力消費を改善し、それにより、ユーザが安全なアクションをとる能力を改善しながら、ネットワークリソースおよびＵＥリソースを節約する、より効率的でターゲットを絞った緊急メッセージングなどの利益を提供し得る。
【００６６】
１つまたは複数の実施形態が改善する、データレート、レイテンシおよび他のファクタを監視する目的での、測定プロシージャが提供され得る。測定結果の変動に応答して、ホストコンピュータ１０１０とＵＥ１０３０との間のＯＴＴ接続１０５０を再設定するための随意のネットワーク機能がさらにあり得る。測定プロシージャおよび／またはＯＴＴ接続１０５０を再設定するためのネットワーク機能は、ホストコンピュータ１０１０のソフトウェア１０１１においてまたはＵＥ１０３０のソフトウェア１０３１において、またはその両方において実装され得る。実施形態では、ＯＴＴ接続１０５０が通過する通信デバイスにおいて、またはその通信デバイスに関連して、センサー（図示せず）が展開され得、センサーは、上記で例示された監視された量の値を供給すること、またはソフトウェア１０１１、１０３１が監視された量を算出または推定し得る他の物理量の値を供給することによって、測定プロシージャに参加し得る。ＯＴＴ接続１０５０の再設定は、メッセージフォーマット、再送信セッティング、好ましいルーティングなどを含み得、再設定は、基地局１０２０に影響を及ぼす必要がなく、再設定は、基地局１０２０に知られていないかまたは知覚不可能であり得る。そのようなプロシージャおよび機能は、当技術分野において知られ、実施され得る。いくつかの実施形態では、測定は、スループット、伝搬時間、レイテンシなどのホストコンピュータ１０１０の測定を容易にするプロプライエタリＵＥシグナリングを伴い得る。測定は、ソフトウェア１０１１、１０３１が、ソフトウェア１０１１、１０３１が伝搬時間、エラーなどを監視する間にＯＴＴ接続１０５０を使用して、メッセージ、特に空のまたは「ダミー」メッセージが送信されることを引き起こすことにおいて、実装され得る。
【００６７】
図１１は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１１への図面参照のみがこのセクションに含まれる。方法の第１のステップ１１１０において、ホストコンピュータはユーザデータを提供する。第１のステップ１１１０の随意のサブステップ１１１１において、ホストコンピュータは、ホストアプリケーションを実行することによって、ユーザデータを提供する。第２のステップ１１２０において、ホストコンピュータは、ＵＥにユーザデータを搬送する送信を始動する。随意の第３のステップ１１３０において、基地局は、本開示全体にわたって説明される実施形態の教示に従って、ホストコンピュータが始動した送信において搬送されたユーザデータをＵＥに送信する。随意の第４のステップ１１４０において、ＵＥは、ホストコンピュータによって実行されたホストアプリケーションに関連付けられたクライアントアプリケーションを実行する。
【００６８】
図１２は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１２への図面参照のみがこのセクションに含まれる。方法の第１のステップ１２１０において、ホストコンピュータはユーザデータを提供する。随意のサブステップ（図示せず）において、ホストコンピュータは、ホストアプリケーションを実行することによって、ユーザデータを提供する。第２のステップ１２２０において、ホストコンピュータは、ＵＥにユーザデータを搬送する送信を始動する。送信は、本開示全体にわたって説明される実施形態の教示に従って、基地局を介して進み得る。随意の第３のステップ１２３０において、ＵＥは、送信において搬送されたユーザデータを受信する。
【００６９】
図１３は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１３への図面参照のみがこのセクションに含まれる。方法の随意の第１のステップ１３１０において、ＵＥは、ホストコンピュータによって提供された入力データを受信する。追加または代替として、随意の第２のステップ１３２０において、ＵＥはユーザデータを提供する。第２のステップ１３２０の随意のサブステップ１３２１において、ＵＥは、クライアントアプリケーションを実行することによって、ユーザデータを提供する。第１のステップ１３１０のさらなる随意のサブステップ１３１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、随意の第３のサブステップ１３３０において、ホストコンピュータへのユーザデータの送信を始動する。方法の第４のステップ１３４０において、ホストコンピュータは、本開示全体にわたって説明される実施形態の教示に従って、ＵＥから送信されたユーザデータを受信する。
【００７０】
図１４は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１４への図面参照のみがこのセクションに含まれる。方法の随意の第１のステップ１４１０において、本開示全体にわたって説明される実施形態の教示に従って、基地局は、ＵＥからユーザデータを受信する。随意の第２のステップ１４２０において、基地局は、ホストコンピュータへの、受信されたユーザデータの送信を始動する。第３のステップ１４３０において、ホストコンピュータは、基地局によって始動された送信において搬送されたユーザデータを受信する。
【００７１】
上記で詳細に説明されたように、本明細書で説明される技法は、たとえば、図３、図５、図７および図８のプロセスフロー図に示されているように、全体的にまたは部分的に、１つまたは複数のプロセッサによって実行されるコンピュータプログラム命令を使用して実装され得る。これらの技法の機能的実装形態が、機能モジュールに関して表され得、ここで、各機能モジュールが、適切なプロセッサ中で実行するソフトウェアの機能ユニットに、または機能的デジタルハードウェア回路に、またはその両方の何らかの組合せに対応することが諒解されよう。
【００７２】
図１５は、ネットワークノード３０などのネットワークノードのための例示的な機能モジュールまたは回路アーキテクチャを示す。機能的実装形態は、１つまたは複数のＳＩＢを介して、複数のＵＥに公衆警告システム通知として送信されるべきメッセージを取得することと、メッセージに対応するエリア情報を取得することであって、エリア情報は、メッセージが関連するエリアを指示する、エリア情報を取得することとを行うための取得モジュール１５０２を含む。実装形態は、エリア情報を送信するためにいくつのＳＩＢが必要とされるかを決定するための決定モジュール１５０４と、エリア情報を送信するためにいくつのＳＩＢが必要とされるかに基づいて、複数のセグメントにメッセージをセグメント化するためのセグメント化モジュール１５０６とを含む。実装形態は、メッセージのセグメントが各ＳＩＢ中に含まれるように、かつＳＩＢ中に含まれるエリア情報の各部分にメッセージのセグメントが付随するように、ＳＩＢを介してメッセージとエリア情報とを送信することを行うための送信モジュール１５０８を含む。
【００７３】
ネットワークノードのための別の例示的な機能的実装形態では、取得モジュール１５０２は、１つまたは複数のＳＩＢを介して、複数のＵＥに公衆警告システム通知として送信されるべきメッセージを取得することと、メッセージに対応するエリア情報を取得することであって、エリア情報は、メッセージが関連するエリアを指示する、エリア情報を取得することとを行うためのものである。送信モジュール１５０８は、第１のＳＩＢを介してメッセージの少なくとも一部を送信することと、第２のＳＩＢが、含まれるエリア情報が第１のＳＩＢを介して送られたメッセージに対応することを指示するリンキング情報を含むように、第２のＳＩＢを介してエリア情報の少なくとも一部を送信することとを行うためのものである。
【００７４】
図１６は、複数のＳＩＢを受信するための受信モジュール１６０２と、ＳＩＢの各々から、公衆警告システム通知が関連するエリアを指示するエリア情報の一部分を取得することと、これらの同じＳＩＢの各々から、メッセージの単一のセグメントを取得することとを行うための取得モジュール１６０４とを含む、ＵＥ５０のための例示的な機能モジュールまたは回路アーキテクチャを示す。実装形態は、エリア情報の部分からエリア情報をアセンブルすることと、メッセージの少なくとも対応するセグメントからメッセージをアセンブルすることとを行うためのアセンブルモジュール１６０６を含む。決定モジュール１６０８は、エリア情報に基づいて、メッセージがＵＥに関連すると決定するためのものであり、表示モジュール１６１０は、決定することに応答してメッセージを表示するためのものである。
【００７５】
ＵＥのための別の機能的実装形態では、受信モジュール１６０２は、第１のＳＩＢを介して公衆警告システム通知メッセージの少なくとも一部分を受信することと、第２のＳＩＢを介してエリア情報の少なくとも一部分を受信することとを行うためのものである。決定モジュール１６０８は、第２のＳＩＢ中に含まれるリンキング情報に基づいて、第２のＳＩＢ中に含まれるエリア情報が、第１のＳＩＢを介して受信されたメッセージに対応すると決定することと、エリア情報に基づいて、メッセージがＵＥに関連すると決定することとを行うためのものである。表示モジュール１６１０は、決定することに応答してメッセージを表示するためのものである。
【００７６】
例示的な実施形態
例示的な実施形態は、限定はしないが、以下の列挙された例を含むことができる。
（ｉ）．  複数のユーザ機器（ＵＥ）をサーブする無線通信システムの少なくとも１つのネットワークノードにおける方法であって、方法は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
エリア情報を送信するためにいくつのシステム情報ブロックが必要とされるかを決定することと、
エリア情報を送信するためにいくつのシステム情報ブロックが必要とされるかに基づいて、複数のセグメントにメッセージをセグメント化することと、
いずれのシステム情報ブロック中にもメッセージの１つのセグメントだけが含まれるように、かつシステム情報ブロック中に含まれるエリア情報の各部分にメッセージのセグメントが付随するように、システム情報ブロックを介してメッセージとエリア情報とを送信することと
を含む、方法。
（ｉｉ）．  メッセージをセグメント化することが、メッセージを少なくともＮ個のセグメントに分割することを含み、ここで、Ｎが、エリア情報を送信するために必要とされるシステム情報ブロックの数である、例示的な実施形態（ｉ）に記載の方法。
（ｉｉｉ）．  メッセージをセグメント化することが、メッセージを厳密にＮ個のセグメントに分割することを含む、例示的な実施形態（ｉｉ）に記載の方法。
（ｉｖ）．  メッセージをセグメント化することは、
メッセージが、修正なしに、システム情報中に含まれるエリア情報の各部分にセグメントが付随するのに十分なセグメントに分割され得ないと決定することと、
延長されたメッセージが、システム情報中に含まれるエリア情報の各部分にセグメントが付随するのに十分なセグメントに分割され得るように、前記セグメント化することの前にメッセージを延長することと
を含む、例示的な実施形態（ｉ）に記載の方法。
（ｖ）．  メッセージがコンテナであり、コンテナが、コンテナにコーディングされた通知情報を搬送する、例示的な実施形態（ｉ〜ｉｖ）のいずれか１つに記載の方法。
（ｖｉ）．  コンテナがＡＳＮ−１コンテナである、例示的な実施形態（ｖ）に記載の方法。
（ｖｉｉ）．  システム情報ブロックが、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックである、例示的な実施形態（ｉ〜ｖｉ）のいずれか１つに記載の方法。
（ｖｉｉｉ）．  複数のユーザ機器（ＵＥ）をサーブする無線通信システムの少なくとも１つのネットワークノードにおける方法であって、方法は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
第１のシステム情報ブロックを介してメッセージの少なくとも一部を送信することと、
第２のシステム情報ブロックが、含まれるエリア情報が第１のシステム情報ブロックを介して送られたメッセージに対応することを指示するリンキング情報を含むように、第２のシステム情報ブロックを介してエリア情報の少なくとも一部を送信することと
を含む、方法。
（ｉｘ）．  リンキング情報が、第１のシステム情報ブロック中の同一の識別子または通し番号、あるいはその両方に対応する、メッセージ識別子または通し番号、あるいはその両方を含む、例示的な実施形態（ｖｉｉｉ）に記載の方法。
（ｘ）．  第１のシステム情報ブロックがＳｙｓｔｅｍＩｎｆｏｒｍａｔｉｏｎＢｌｏｃｋＴｙｐｅ１２であり、第２のシステム情報ブロックが異なるタイプである、例示的な実施形態（ｖｉｉｉ）または（ｉｘ）に記載の方法。
（ｘｉ）．  第２のシステム情報ブロックを介してエリア情報の少なくとも一部を送信することが、第２のシステム情報ブロック中に、第１のシステム情報ブロックについてのタイプの指示を含めることを含む、例示的な実施形態（ｖｉｉｉ）から（ｘ）のいずれか１つに記載の方法。
（ｘｉｉ）．  無線通信ネットワークによってサーブされるユーザ機器（ＵＥ）における方法であって、方法は、
複数のシステム情報ブロックを受信することと、
システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の部分からエリア情報をアセンブルすることと、
メッセージの少なくとも対応するセグメントからメッセージをアセンブルすることと、
エリア情報に基づいて、メッセージがＵＥに関連すると決定することと、
前記決定することに応答してメッセージを表示することと
を含む、方法。
（ｘｉｉｉ）．  メッセージをアセンブルすることが、複数のシステム情報ブロック中に含まれるメッセージの部分と、追加のシステム情報ブロック中に含まれる少なくとも１つのメッセージ部分とからメッセージをアセンブルすることを含む、例示的な実施形態（ｘｉｉ）に記載の方法。
（ｘｉｖ）．  システム情報ブロックが、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックである、例示的な実施形態（ｘｉｉ）または（ｘｉｉｉ）に記載の方法。
（ｘｖ）．  無線通信ネットワークによってサーブされるユーザ機器（ＵＥ）における方法であって、方法は、
第１のシステム情報ブロックを介して公衆警告システム通知メッセージの少なくとも一部分を受信することと、
第２のシステム情報ブロックを介してエリア情報の少なくとも一部分を受信することと、
第２のシステム情報ブロック中に含まれるリンキング情報に基づいて、第２のシステム情報ブロック中に含まれるエリア情報が、第１のシステム情報ブロックを介して受信されたメッセージに対応すると決定することと、
エリア情報に基づいて、メッセージがＵＥに関連すると決定することと、
前記決定することに応答してメッセージを表示することと
を含む、方法。
（ｘｖｉ）．  リンキング情報が、第１のシステム情報ブロック中の同一の識別子または通し番号、あるいはその両方に対応する、メッセージ識別子または通し番号、あるいはその両方を含む、例示的な実施形態（ｘｖ）に記載の方法。
（ｘｖｉｉ）．  第１のシステム情報ブロックがＳｙｓｔｅｍＩｎｆｏｒｍａｔｉｏｎＢｌｏｃｋＴｙｐｅ１２であり、第２のシステム情報ブロックが異なるタイプである、例示的な実施形態（ｘｖ）または（ｘｖｉ）に記載の方法。
（ｘｖｉｉｉ）．  リンキング情報が、第１のシステム情報ブロックについてのタイプの指示を含む、例示的な実施形態（ｘｖ）から（ｘｖｉｉ）のいずれか１つに記載の方法。
（ｘｉｘ）．  例示的な実施形態（ｉ）から（ｘｉ）のいずれか１つに記載の方法を実施するように適合されたネットワークノード。
（ｘｘ）．  トランシーバ回路と、トランシーバ回路に動作可能に関連付けられ、例示的な実施形態（ｉ）から（ｘｉ）のいずれか１つに記載の方法を実施するように設定された、処理回路とを備える、ネットワークノード。
（ｘｘｉ）．  例示的な実施形態（ｘｉｉ）から（ｘｖｉｉｉ）のいずれか１つに記載の方法を実施するように適合されたユーザ機器。
（ｘｘｉｉ）．  トランシーバ回路と、トランシーバ回路に動作可能に関連付けられ、例示的な実施形態（ｘｉｉ）から（ｘｖｉｉｉ）のいずれか１つに記載の方法を実施するように設定された、処理回路とを備える、ユーザ機器。
（ｘｘｉｉｉ）．  少なくとも１つの処理回路上で実行されたとき、少なくとも１つの処理回路に、例示的な実施形態（ｉ）から（ｘｖｉｉｉ）のいずれか１つに記載の方法を行わせる命令を備える、コンピュータプログラム。
（ｘｘｉｖ）．  例示的な実施形態（ｘｘｉｉｉ）に記載のコンピュータプログラムを含んでいるキャリアであって、キャリアが、電子信号、光信号、無線信号、またはコンピュータ可読記憶媒体のうちの１つである、キャリア。
（ｘｘｖ）．
ユーザデータを提供するように設定された処理回路と、
ユーザ機器（ＵＥ）への送信のためにユーザデータをセルラーネットワークにフォワーディングするように設定された通信インターフェースと
を備えるホストコンピュータを含む通信システムであって、
セルラーネットワークが基地局を備え、基地局は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
エリア情報を送信するためにいくつのシステム情報ブロックが必要とされるかを決定することと、
エリア情報を送信するためにいくつのシステム情報ブロックが必要とされるかに基づいて、複数のセグメントにメッセージをセグメント化することと、
いずれのシステム情報ブロック中にもメッセージの１つのセグメントだけが含まれるように、かつシステム情報ブロック中に含まれるエリア情報の各部分にメッセージのセグメントが付随するように、システム情報ブロックを介してメッセージとエリア情報とを送信することと
を行うように設定された、通信システム。
（ｘｘｖｉ）．
ユーザデータを提供するように設定された処理回路と、
ユーザ機器（ＵＥ）への送信のためにユーザデータをセルラーネットワークにフォワーディングするように設定された通信インターフェースと
を備えるホストコンピュータを含む通信システムであって、
セルラーネットワークが基地局を備え、基地局は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
第１のシステム情報ブロックを介してメッセージの少なくとも一部を送信することと、
第２のシステム情報ブロックが、含まれるエリア情報が第１のシステム情報ブロックを介して送られたメッセージに対応することを指示するリンキング情報を含むように、第２のシステム情報ブロックを介してエリア情報の少なくとも一部を送信することと
を行うように設定された、通信システム。
（ｘｘｖｉｉ）．  基地局をさらに含む、例示的な実施形態（ｘｘｖ）または（ｘｘｖｉ）に記載の通信システム。
（ｘｘｖｉｉｉ）．  ＵＥをさらに含み、ＵＥが基地局と通信するように設定された、例示的な実施形態（ｘｘｖｉｉ）に記載の通信システム。
（ｘｘｉｘ）．
ホストコンピュータの処理回路が、ホストアプリケーションを実行し、それによりユーザデータを提供するように設定され、
ＵＥが、ホストアプリケーションに関連付けられたクライアントアプリケーションを実行するように設定された処理回路を備える、
例示的な実施形態（ｘｘｖｉｉｉ）に記載の通信システム。
（ｘｘｘ）．  ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することとを含み、方法は、基地局において、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
エリア情報を送信するためにいくつのシステム情報ブロックが必要とされるかを決定することと、
エリア情報を送信するためにいくつのシステム情報ブロックが必要とされるかに基づいて、複数のセグメントにメッセージをセグメント化することと、
いずれのシステム情報ブロック中にもメッセージの１つのセグメントだけが含まれるように、かつシステム情報ブロック中に含まれるエリア情報の各部分にメッセージのセグメントが付随するように、システム情報ブロックを介してメッセージとエリア情報とを送信することと
を含む、
方法。
（ｘｘｘｉ）．  ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することとを含み、方法は、基地局において、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
第１のシステム情報ブロックを介してメッセージの少なくとも一部を送信することと、
第２のシステム情報ブロックが、含まれるエリア情報が第１のシステム情報ブロックを介して送られたメッセージに対応することを指示するリンキング情報を含むように、第２のシステム情報ブロックを介してエリア情報の少なくとも一部を送信することと
を含む、
方法。
（ｘｘｘｉｉ）．
基地局において、ユーザデータを送信すること
をさらに含む、例示的な実施形態（ｘｘｘ）または（ｘｘｘｉ）に記載の方法。
（ｘｘｘｉｉｉ）．  ユーザデータが、ホストアプリケーションを実行することによって、ホストコンピュータにおいて提供され、方法が、
ＵＥにおいて、ホストアプリケーションに関連付けられたクライアントアプリケーションを実行すること
をさらに含む、例示的な実施形態（ｘｘｘｉｉ）に記載の方法。
（ｘｘｘｉｖ）．
ユーザデータを提供するように設定された処理回路と、
ユーザデータをセルラーネットワークにフォワーディングするように設定された通信インターフェースと
を備えるホストコンピュータを含む通信システムであって、
ＵＥの処理回路は、
複数のシステム情報ブロックを受信することと、
システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の部分からエリア情報をアセンブルすることと、
メッセージの少なくとも対応するセグメントからメッセージをアセンブルすることと、
エリア情報に基づいて、メッセージがＵＥに関連すると決定することと、
前記決定することに応答してメッセージを表示することと
を行うように設定された、通信システム。
（ｘｘｘｖ）．
ユーザデータを提供するように設定された処理回路と、
ユーザデータをセルラーネットワークにフォワーディングするように設定された通信インターフェースと
を備えるホストコンピュータを含む通信システムであって、
ＵＥの処理回路は、
第１のシステム情報ブロックを介して公衆警告システム通知メッセージの少なくとも一部分を受信することと、
第２のシステム情報ブロックを介してエリア情報の少なくとも一部分を受信することと、
第２のシステム情報ブロック中に含まれるリンキング情報に基づいて、第２のシステム情報ブロック中に含まれるエリア情報が、第１のシステム情報ブロックを介して受信されたメッセージに対応すると決定することと、
エリア情報に基づいて、メッセージがＵＥに関連すると決定することと、
前記決定することに応答してメッセージを表示することと
を行うように設定された、通信システム。
（ｘｘｘｖｉ）．  ＵＥをさらに含む、例示的な実施形態（ｘｘｘｉｖ）または（ｘｘｘｖ）に記載の通信システム。
（ｘｘｘｖｉｉ）．  セルラーネットワークが、ＵＥと通信するように設定された基地局をさらに含む、例示的な実施形態（ｘｘｘｖｉ）に記載の通信システム。
（ｘｘｘｖｉｉｉ）．
ホストコンピュータの処理回路が、ホストアプリケーションを実行し、それによりユーザデータを提供するように設定され、
ＵＥの処理回路が、ホストアプリケーションに関連付けられたクライアントアプリケーションを実行するように設定された、
例示的な実施形態（ｘｘｘｖｉ）または（ｘｘｘｖｉｉ）に記載の通信システム。
（ｘｘｘｉｘ）．  ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することとを含み、方法は、ＵＥにおいて、
複数のシステム情報ブロックを受信することと、
システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の部分からエリア情報をアセンブルすることと、
メッセージの少なくとも対応するセグメントからメッセージをアセンブルすることと、
エリア情報に基づいて、メッセージがＵＥに関連すると決定することと、
前記決定することに応答してメッセージを表示することと
を含む、
方法。
（ｘｌ）．  ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を備えるセルラーネットワークを介してＵＥにユーザデータを搬送する送信を始動することとを含み、方法は、ＵＥにおいて、
第１のシステム情報ブロックを介して公衆警告システム通知メッセージの少なくとも一部分を受信することと、
第２のシステム情報ブロックを介してエリア情報の少なくとも一部分を受信することと、
第２のシステム情報ブロック中に含まれるリンキング情報に基づいて、第２のシステム情報ブロック中に含まれるエリア情報が、第１のシステム情報ブロックを介して受信されたメッセージに対応すると決定することと、
エリア情報に基づいて、メッセージがＵＥに関連すると決定することと、
前記決定することに応答してメッセージを表示することと
を含む、
方法。
（ｘｌｉ）．
ＵＥにおいて、基地局からユーザデータを受信すること
をさらに含む、例示的な実施形態（ｘｘｘｉｘ）または（ｘｌ）に記載の方法。
（ｘｌｉｉ）．
ユーザ機器（ＵＥ）から基地局への送信から発生したユーザデータを受信するように設定された通信インターフェースを備えるホストコンピュータを含む通信システムであって、ＵＥの処理回路は、
複数のシステム情報ブロックを受信することと、
システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の部分からエリア情報をアセンブルすることと、
メッセージの少なくとも対応するセグメントからメッセージをアセンブルすることと、
エリア情報に基づいて、メッセージがＵＥに関連すると決定することと、
前記決定することに応答してメッセージを表示することと
を行うように設定された、
通信システム。
（ｘｌｉｉｉ）．
ユーザ機器（ＵＥ）から基地局への送信から発生したユーザデータを受信するように設定された通信インターフェースを備えるホストコンピュータを含む通信システムであって、ＵＥの処理回路は、
第１のシステム情報ブロックを介して公衆警告システム通知メッセージの少なくとも一部分を受信することと、
第２のシステム情報ブロックを介してエリア情報の少なくとも一部分を受信することと、
第２のシステム情報ブロック中に含まれるリンキング情報に基づいて、第２のシステム情報ブロック中に含まれるエリア情報が、第１のシステム情報ブロックを介して受信されたメッセージに対応すると決定することと、
エリア情報に基づいて、メッセージがＵＥに関連すると決定することと、
前記決定することに応答してメッセージを表示することと
を行うように設定された、
通信システム。
（ｘｌｉｖ）．  ＵＥをさらに含む、例示的な実施形態（ｘｌｉｉ）または（ｘｌｉｉｉ）に記載の通信システム。
（ｘｌｖ）．  基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを備える、例示的な実施形態（ｘｌｉｖ）に記載の通信システム。
（ｘｌｖｉ）．
ホストコンピュータの処理回路が、ホストアプリケーションを実行するように設定され、
ＵＥの処理回路が、ホストアプリケーションに関連付けられたクライアントアプリケーションを実行し、それによりユーザデータを提供するように設定された、
例示的な実施形態（ｘｌｉｖ）または（ｘｌｖ）に記載の通信システム。
（ｘｌｖｉｉ）．
ホストコンピュータの処理回路が、ホストアプリケーションを実行し、それにより要求データを提供するように設定され、
ＵＥの処理回路が、ホストアプリケーションに関連付けられたクライアントアプリケーションを実行し、それにより要求データに応答してユーザデータを提供するように設定された、
例示的な実施形態（ｘｌｉｖ）または（ｘｌｖ）に記載の通信システム。
（ｘｌｖｉｉｉ）．  ユーザ機器（ＵＥ）において実装される方法であって、方法は、
複数のシステム情報ブロックを受信することと、
システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の部分からエリア情報をアセンブルすることと、
メッセージの少なくとも対応するセグメントからメッセージをアセンブルすることと、
エリア情報に基づいて、メッセージがＵＥに関連すると決定することと、
前記決定することに応答してメッセージを表示することと
を含む、方法。
（ｘｌｉｘ）．  ユーザ機器（ＵＥ）において実装される方法であって、方法は、
第１のシステム情報ブロックを介して公衆警告システム通知メッセージの少なくとも一部分を受信することと、
第２のシステム情報ブロックを介してエリア情報の少なくとも一部分を受信することと、
第２のシステム情報ブロック中に含まれるリンキング情報に基づいて、第２のシステム情報ブロック中に含まれるエリア情報が、第１のシステム情報ブロックを介して受信されたメッセージに対応すると決定することと、
エリア情報に基づいて、メッセージがＵＥに関連すると決定することと、
前記決定することに応答してメッセージを表示することと
を含む、方法。
（ｌ）．
ユーザデータを提供することと、
基地局への送信を介してホストコンピュータにユーザデータをフォワーディングすることと
をさらに含む、例示的な実施形態（ｘｌｖｉｉｉ）または（ｘｌｉｘ）に記載の方法。
（ｌｉ）．  ホストコンピュータと、基地局と、ユーザ機器（ＵＥ）とを含む通信システムにおいて実装される方法であって、方法が、
ホストコンピュータにおいて、ＵＥから基地局に送信されたユーザデータを受信することを含み、ＵＥにおける方法は、
複数のシステム情報ブロックを受信することと、
システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の部分からエリア情報をアセンブルすることと、
メッセージの少なくとも対応するセグメントからメッセージをアセンブルすることと、
エリア情報に基づいて、メッセージがＵＥに関連すると決定することと、
前記決定することに応答してメッセージを表示することと
を含む、
方法。
（ｌｉｉ）．  ホストコンピュータと、基地局と、ユーザ機器（ＵＥ）とを含む通信システムにおいて実装される方法であって、方法が、
ホストコンピュータにおいて、ＵＥから基地局に送信されたユーザデータを受信することを含み、ＵＥにおける方法は、
第１のシステム情報ブロックを介して公衆警告システム通知メッセージの少なくとも一部分を受信することと、
第２のシステム情報ブロックを介してエリア情報の少なくとも一部分を受信することと、
第２のシステム情報ブロック中に含まれるリンキング情報に基づいて、第２のシステム情報ブロック中に含まれるエリア情報が、第１のシステム情報ブロックを介して受信されたメッセージに対応すると決定することと、
エリア情報に基づいて、メッセージがＵＥに関連すると決定することと、
前記決定することに応答してメッセージを表示することと
を含む、
方法。
（ｌｉｉｉ）．
ＵＥにおいて、基地局にユーザデータを提供すること
をさらに含む、例示的な実施形態（ｌｉ）または（ｌｉｉ）に記載の方法。
（ｌｉｖ）．
ＵＥにおいて、クライアントアプリケーションを実行し、それにより送信されるべきユーザデータを提供することと、
ホストコンピュータにおいて、クライアントアプリケーションに関連付けられたホストアプリケーションを実行することと
をさらに含む、例示的な実施形態（ｌｉｉｉ）に記載の方法。
（ｌｖ）．
ＵＥにおいて、クライアントアプリケーションを実行することと、
ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することと
をさらに含み、
送信されるべきユーザデータが、入力データに応答してクライアントアプリケーションによって提供される、例示的な実施形態（ｌｉｉｉ）に記載の方法。
（ｌｖｉ）．  ユーザ機器（ＵＥ）から基地局への送信から発生したユーザデータを受信するように設定された通信インターフェースを備えるホストコンピュータを含む通信システムであって、基地局の処理回路は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
エリア情報を送信するためにいくつのシステム情報ブロックが必要とされるかを決定することと、
エリア情報を送信するためにいくつのシステム情報ブロックが必要とされるかに基づいて、複数のセグメントにメッセージをセグメント化することと、
いずれのシステム情報ブロック中にもメッセージの１つのセグメントだけが含まれるように、かつシステム情報ブロック中に含まれるエリア情報の各部分にメッセージのセグメントが付随するように、システム情報ブロックを介してメッセージとエリア情報とを送信することと
を行うように設定された、通信システム。
（ｌｖｉｉ）．  ユーザ機器（ＵＥ）から基地局への送信から発生したユーザデータを受信するように設定された通信インターフェースを備えるホストコンピュータを含む通信システムであって、基地局の処理回路は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
第１のシステム情報ブロックを介してメッセージの少なくとも一部を送信することと、
第２のシステム情報ブロックが、含まれるエリア情報が第１のシステム情報ブロックを介して送られたメッセージに対応することを指示するリンキング情報を含むように、第２のシステム情報ブロックを介してエリア情報の少なくとも一部を送信することと
を行うように設定された、通信システム。
（ｌｖｉｉｉ）．  基地局をさらに含む、例示的な実施形態（ｌｖｉ）または（ｌｖｉｉ）に記載の通信システム。
（ｌｉｘ）．  ＵＥをさらに含み、ＵＥが基地局と通信するように設定された、例示的な実施形態（ｌｖｉｉｉ）に記載の通信システム。
（ｌｘ）．
ホストコンピュータの処理回路が、ホストアプリケーションを実行するように設定され、
ＵＥが、ホストアプリケーションに関連付けられたクライアントアプリケーションを実行し、それによりホストコンピュータによって受信されるべきユーザデータを提供するように設定された、
例示的な実施形態（ｌｉｘ）に記載の通信システム。
（ｌｘｉ）．  ホストコンピュータと、基地局と、ユーザ機器（ＵＥ）とを含む通信システムにおいて実装される方法であって、方法が、
ホストコンピュータにおいて、基地局から、基地局がＵＥから受信した送信から発生したユーザデータを受信することを含み、基地局における方法は、
ＣＱＩインデックス値のうちの第１のＣＱＩインデックス値を受信することと、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
エリア情報を送信するためにいくつのシステム情報ブロックが必要とされるかを決定することと、
エリア情報を送信するためにいくつのシステム情報ブロックが必要とされるかに基づいて、複数のセグメントにメッセージをセグメント化することと、
いずれのシステム情報ブロック中にもメッセージの１つのセグメントだけが含まれるように、かつシステム情報ブロック中に含まれるエリア情報の各部分にメッセージのセグメントが付随するように、システム情報ブロックを介してメッセージとエリア情報とを送信することと
を含む、
方法。
（ｌｘｉｉ）．  ホストコンピュータと、基地局と、ユーザ機器（ＵＥ）とを含む通信システムにおいて実装される方法であって、方法が、
ホストコンピュータにおいて、基地局から、基地局がＵＥから受信した送信から発生したユーザデータを受信することを含み、基地局における方法は、
１つまたは複数のシステム情報ブロックを介して、複数のＵＥに公衆警告システム通知として送信されるべきメッセージを取得することと、
メッセージに対応するエリア情報を取得することであって、エリア情報は、メッセージが関連するエリアを指示する、エリア情報を取得することと、
第１のシステム情報ブロックを介してメッセージの少なくとも一部を送信することと、
第２のシステム情報ブロックが、含まれるエリア情報が第１のシステム情報ブロックを介して送られたメッセージに対応することを指示するリンキング情報を含むように、第２のシステム情報ブロックを介してエリア情報の少なくとも一部を送信することと
を含む、
方法。
（ｌｘｉｉｉ）．
基地局において、ＵＥからユーザデータを受信すること
をさらに含む、例示的な実施形態（ｌｘｉ）または（ｌｘｉｉ）に記載の方法。
（ｌｘｉｖ）．
基地局において、ホストコンピュータへの、受信されたユーザデータの送信を始動すること
をさらに含む、例示的な実施形態（ｌｘｉｉｉ）に記載の方法。
【００７７】
本発明概念の原理から実質的に逸脱することなしに、実施形態に対して多くの変形および修正が行われ得る。すべてのそのような変形および修正は、本発明概念の範囲内で本明細書に含まれるものとする。したがって、上記で開示された主題は、例示であり、限定するものではないと見なされるべきであり、実施形態の例は、本発明概念の趣旨および範囲内に入る、すべてのそのような修正、拡張、および他の実施形態をカバーするものとする。したがって、法によって最大限に許容される限りにおいて、本発明概念の範囲は、実施形態およびそれらの等価物の例を含む、本開示の最も広い許容可能な解釈によって決定されるべきであり、上記の詳細な説明によって制限または限定されるべきでない。
【図１】
2021530903.tif 000005
【図２】
2021530903.tif 000006
【図３】
2021530903.tif 000007
【図４】
2021530903.tif 000008
【図５】
2021530903.tif 000009
【図６】
2021530903.tif 000010
【図７】
2021530903.tif 000011
【図８】
2021530903.tif 000012
【図９】
2021530903.tif 000013
【図１０】
2021530903.tif 000014
【図１１】
2021530903.tif 000015
【図１２】
2021530903.tif 000016
【図１３】
2021530903.tif 000017
【図１４】
2021530903.tif 000018
【図１５】
2021530903.tif 000019
【図１６】
2021530903.tif 000020
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
複数のユーザ機器（ＵＥ）をサーブする無線通信システムの少なくとも１つのネットワークノードにおける方法であって、前記方法は、
１つまたは複数のシステム情報ブロックを介して、複数のＵＥに公衆警告システム通知として送信されるべきメッセージを取得すること（３０２）と、
前記メッセージに対応するエリア情報を取得すること（３０４）であって、前記エリア情報は、前記メッセージが関連するエリアを指示する、エリア情報を取得すること（３０４）と、
前記エリア情報を送信するためにいくつのシステム情報ブロックが必要とされるかを決定すること（３０６）と、
前記エリア情報を送信するためにいくつのシステム情報ブロックが必要とされるかに基づいて、複数のセグメントに前記メッセージをセグメント化すること（３０８）と、
送信されたシステム情報ブロックのいずれの中にも前記メッセージの１つのセグメントだけが含まれるように、かつ送信されたシステム情報ブロック中に含まれる前記エリア情報の各部分に前記メッセージのセグメントが付随するように、システム情報ブロックを介して前記メッセージと前記エリア情報とを送信すること（３１０）と
を含む、方法。
【請求項２】
前記メッセージをセグメント化すること（３０８）が、前記メッセージを少なくともＮ個のセグメントに分割することを含み、ここで、Ｎが、前記エリア情報を送信するために必要とされるシステム情報ブロックの数である、請求項１に記載の方法。
【請求項３】
前記メッセージをセグメント化すること（３０８）が、前記メッセージを厳密にＮ個のセグメントに分割することを含む、請求項２に記載の方法。
【請求項４】
前記メッセージをセグメント化すること（３０８）は、
前記メッセージが、修正なしに、システム情報ブロック中に含まれる前記エリア情報の各部分にセグメントが付随するのに十分なセグメントに分割され得ないと決定することと、
延長されたメッセージが、システム情報ブロック中に含まれる前記エリア情報の各部分にセグメントが付随するのに十分なセグメントに分割され得るように、前記セグメント化することの前に前記メッセージを延長することと
を含む、請求項１に記載の方法。
【請求項５】
前記メッセージがコンテナであり、前記コンテナが、前記コンテナにコーディングされた通知情報を搬送する、請求項１から４のいずれか一項に記載の方法。
【請求項６】
前記コンテナがＡＳＮ−１コンテナである、請求項５に記載の方法。
【請求項７】
複数のユーザ機器（ＵＥ）をサーブする無線通信システムの少なくとも１つのネットワークノードにおける方法であって、前記方法は、
１つまたは複数のシステム情報ブロックを介して、複数のＵＥに公衆警告システム通知として送信されるべきメッセージを取得すること（５０２）と、
前記メッセージに対応するエリア情報を取得すること（５０４）であって、前記エリア情報は、前記メッセージが関連するエリアを指示する、エリア情報を取得すること（５０４）と、
第１のシステム情報ブロックを介して前記メッセージの少なくとも一部を送信すること（５０６）と、
第２のシステム情報ブロックが、前記含まれるエリア情報が前記第１のシステム情報ブロックを介して送られた前記メッセージに対応することを指示するリンキング情報を含むように、前記第２のシステム情報ブロックを介して前記エリア情報の少なくとも一部を送信すること（５０８）と
を含む、方法。
【請求項８】
前記リンキング情報が、前記第１のシステム情報ブロック中の同一の識別子または通し番号、あるいはその両方に対応する、メッセージ識別子または通し番号、あるいはその両方を含む、請求項７に記載の方法。
【請求項９】
前記第１のシステム情報ブロックがＳｙｓｔｅｍＩｎｆｏｒｍａｔｉｏｎＢｌｏｃｋＴｙｐｅ１２であり、前記第２のシステム情報ブロックが異なるタイプである、請求項７または８に記載の方法。
【請求項１０】
前記第２のシステム情報ブロックを介して前記エリア情報の少なくとも一部を送信すること（５０８）が、前記第２のシステム情報ブロック中に、前記第１のシステム情報ブロックについてのタイプの指示を含めることを含む、請求項７から９のいずれか一項に記載の方法。
【請求項１１】
無線通信ネットワークによってサーブされるユーザ機器（ＵＥ）における方法であって、前記方法は、
複数のシステム情報ブロックを受信すること（７０２）と、
前記システム情報ブロックの各々から、公衆警告システム通知が関連するエリアを指示するエリア情報の一部分を取得すること（７０４）と、
これらの同じシステム情報ブロックの各々から、メッセージのセグメントを取得すること（７０６）と、
エリア情報の前記部分からエリア情報をアセンブルすること（７０８）と、
前記メッセージの少なくとも対応するセグメントから前記メッセージをアセンブルすること（７１０）と、
前記エリア情報に基づいて、前記メッセージが前記ＵＥに関連すると決定すること（７１２）と、
前記決定することに応答して前記メッセージを表示すること（７１４）と
を含む、方法。
【請求項１２】
前記メッセージをアセンブルすること（７１０）が、前記複数のシステム情報ブロック中に含まれる前記メッセージの部分と、追加のシステム情報ブロック中に含まれる少なくとも１つのメッセージ部分とから前記メッセージをアセンブルすることを含む、請求項１１に記載の方法。
【請求項１３】
前記システム情報ブロックが、ＬＴＥ  ＳｙｓｔｅｍＩｎｆｏｒｍａｔｉｏｎＢｌｏｃｋＴｙｐｅ１１ブロックまたはＬＴＥ  ＳｙｓｔｅｍＩｎｆｏｒｍａｔｉｏｎＢｌｏｃｋＴｙｐｅ１２ブロックである、請求項１１または１２に記載の方法。
【請求項１４】
無線通信ネットワークによってサーブされるユーザ機器（ＵＥ）における方法であって、前記方法は、
第１のシステム情報ブロックを介して公衆警告システム通知メッセージの少なくとも一部分を受信すること（８０２）と、
第２のシステム情報ブロックを介してエリア情報の少なくとも一部分を受信すること（８０４）と、
前記第２のシステム情報ブロック中に含まれるリンキング情報に基づいて、前記第２のシステム情報ブロック中に含まれる前記エリア情報が、前記第１のシステム情報ブロックを介して受信された前記メッセージに対応すると決定すること（８０６）と、
前記エリア情報に基づいて、前記メッセージが前記ＵＥに関連すると決定すること（８０８）と、
前記決定することに応答して前記メッセージを表示すること（８１０）と
を含む、方法。
【請求項１５】
前記リンキング情報が、前記第１のシステム情報ブロック中の同一の識別子または通し番号、あるいはその両方に対応する、メッセージ識別子または通し番号、あるいはその両方を含む、請求項１４に記載の方法。
【請求項１６】
ネットワークノード（３０）であって、
通信インターフェース回路（３８）と、
前記通信インターフェース回路（３８）に動作可能に関連付けられた処理回路（３２）とを備え、前記処理回路（３２）は、
１つまたは複数のシステム情報ブロックを介して、複数のＵＥに公衆警告システム通知として送信されるべきメッセージを取得することと、
前記メッセージに対応するエリア情報を取得することであって、前記エリア情報は、前記メッセージが関連するエリアを指示する、エリア情報を取得することと、
前記エリア情報を送信するためにいくつのシステム情報ブロックが必要とされるかを決定することと、
前記エリア情報を送信するためにいくつのシステム情報ブロックが必要とされるかに基づいて、複数のセグメントに前記メッセージをセグメント化することと、
送信されたシステム情報ブロックのいずれの中にも前記メッセージの１つのセグメントだけが含まれるように、かつ送信されたシステム情報ブロック中に含まれる前記エリア情報の各部分に前記メッセージのセグメントが付随するように、前記通信インターフェース回路（３８）を使用して、システム情報ブロックを介して前記メッセージと前記エリア情報とを送信することと
を行うように設定された、
ネットワークノード（３０）。
【請求項１７】
前記処理回路（３２）が、請求項２から６のいずれか一項に記載の方法を行うようにさらに設定された、請求項１６に記載のネットワークノード（３０）。
【請求項１８】
ネットワークノード（３０）であって、
通信インターフェース回路（３８）と、
前記通信インターフェース回路（３８）に動作可能に関連付けられた処理回路（３２）とを備え、前記処理回路（３２）は、
１つまたは複数のシステム情報ブロックを介して、複数のユーザ機器（ＵＥ）に公衆警告システム通知として送信されるべきメッセージを取得することと、
前記メッセージに対応するエリア情報を取得することであって、前記エリア情報は、前記メッセージが関連するエリアを指示する、エリア情報を取得することと、
前記通信インターフェース回路（３８）を使用して、第１のシステム情報ブロックを介して前記メッセージの少なくとも一部を送信することと、
第２のシステム情報ブロックが、前記含まれるエリア情報が前記第１のシステム情報ブロックを介して送られた前記メッセージに対応することを指示するリンキング情報を含むように、前記通信インターフェース回路（３８）を使用して、前記第２のシステム情報ブロックを介して前記エリア情報の少なくとも一部を送信することと
を行うように設定された、
ネットワークノード（３０）。
【請求項１９】
ユーザ機器（ＵＥ）（５０）であって、
トランシーバ回路（５６）と、
前記トランシーバ回路（５６）に動作可能に関連付けられた処理回路（５２）とを備え、前記処理回路（５２）は、
前記トランシーバ回路（５６）を使用して複数のシステム情報ブロックを受信することと、
前記システム情報ブロックの各々から、公衆警告システム通知が関連するエリアを指示するエリア情報の一部分を取得することと、
これらの同じシステム情報ブロックの各々から、メッセージの単一のセグメントを取得することと、
エリア情報の前記部分からエリア情報をアセンブルすることと、
前記メッセージの少なくとも対応するセグメントから前記メッセージをアセンブルすることと、
前記エリア情報に基づいて、前記メッセージが前記ＵＥに関連すると決定することと、
前記決定することに応答して前記メッセージを表示することと
を行うように設定された、
ユーザ機器（ＵＥ）（５０）。
【請求項２０】
ユーザ機器（ＵＥ）（５０）であって、
トランシーバ回路（５６）と、
前記トランシーバ回路（５６）に動作可能に関連付けられた処理回路（５２）とを備え、前記処理回路（５２）は、
第１のシステム情報ブロックを介して公衆警告システム通知メッセージの少なくとも一部分を受信することと、
第２のシステム情報ブロックを介してエリア情報の少なくとも一部分を受信することと、
前記第２のシステム情報ブロック中に含まれるリンキング情報に基づいて、前記第２のシステム情報ブロック中に含まれる前記エリア情報が、前記第１のシステム情報ブロックを介して受信された前記メッセージに対応すると決定することと、
前記エリア情報に基づいて、前記メッセージが前記ＵＥに関連すると決定することと、
前記決定することに応答して前記メッセージを表示することと
を行うように設定された、
ユーザ機器（ＵＥ）（５０）。
【請求項２１】
少なくとも１つの処理回路上で実行されたとき、前記少なくとも１つの処理回路に、請求項１から１５のいずれか一項に記載の方法を行わせる命令を備える、コンピュータプログラム。
【請求項２２】
請求項２１に記載のコンピュータプログラムを含んでいるキャリアであって、前記キャリアが、電子信号、光信号、無線信号、またはコンピュータ可読記憶媒体のうちの１つである、キャリア。
【国際調査報告】
2021530903.tif 000021
2021530903.tif 000022
2021530903.tif 000023